(57)【要約】  ゲートウェイ装置（１０２）は、監視装置（１０１）との間の通信を行う監視ＩＦ（１１１）と、配下の複数の基地局（１０３）との間の通信を行う呼制御ＩＦ（１１２）と、監視ＩＦ（１１１）を介して監視装置（１０１）から一括設定指示を受信した場合、基地局（１０３）との間の呼制御ＩＦ（１１２）に適合した形式に一括設定指示をプロトコル変換した設定指示を生成し、生成した設定指示を複数の基地局（１０３）に対して呼制御ＩＦ（１１２）を介して送信するＣＰＵ（３０１）を有する。
2015151208.tif 000002
【特許請求の範囲】
【請求項１】
監視装置との間の通信を行う第１の機器間インタフェースと、
配下の複数の基地局装置との間の通信を行う第２の機器間インタフェースと、
前記第１の機器間インタフェースを介して前記監視装置から設定情報を受信した場合、前記基地局装置との間の第２の機器間インタフェースに適合した形式に前記設定情報をプロトコル変換した設定情報を生成し、前記生成した設定情報を前記複数の基地局装置に対して前記第２の機器間インタフェースを介して送信する制御部を有することを特徴とするゲートウェイ装置。
【請求項２】
前記第１の機器間インタフェースは、監視インタフェースであり、
前記第２の機器間インタフェースは、呼制御インタフェースであり、
前記監視インタフェースの１度のコネクション接続により、複数の前記基地局装置に対する前記設定情報を受信することを特徴とする請求項１に記載のゲートウェイ装置。
【請求項３】
前記制御部は、複数の前記基地局装置から前記設定情報に基づく設定状態の応答情報を受信した場合、複数の前記基地局装置からの前記応答情報をとりまとめた応答情報を前記監視装置に送信することを特徴とする請求項１に記載のゲートウェイ装置。
【請求項４】
前記制御部は、前記監視装置から受信した情報が前記設定情報であるか否かを判断する判断部を有し、当該判断部は、前記監視装置から受信した情報が前記設定情報の場合に、当該設定情報に対する前記プロトコル変換を行い複数の前記基地局装置に送信することを特徴とする請求項１に記載のゲートウェイ装置。
【請求項５】
前記制御部は、前記監視装置から受信した前記設定情報に含まれる一括設定対象の複数の前記基地局装置のグループを判断するグループ判断部を有し、当該グループ判断部は、該当するグループの複数の前記基地局装置に対して前記設定情報を送信することを特徴とする請求項１に記載のゲートウェイ装置。
【請求項６】
前記制御部は、前記監視装置から受信した前記設定情報に一括設定対象のエリア範囲が含まれる場合、配下の全ての複数の前記基地局装置に対して前記設定情報を送信し、複数の前記基地局装置側で前記エリア範囲に基づく設定の有無を判断させることを特徴とする請求項１に記載のゲートウェイ装置。
【請求項７】
前記制御部は、前記監視装置から受信した前記設定情報にＴＡＣ（Ｔｒａｃｋｉｎｇ  Ａｒｅａ  Ｃｏｄｅ）の情報の変更が含まれる場合、配下の全ての複数の前記基地局装置に対して前記設定情報を送信し、複数の前記基地局装置側で前記ＴＡＣの情報の変更に基づく設定の有無を判断させることを特徴とする請求項１に記載のゲートウェイ装置。
【請求項８】
前記制御部は、前記呼制御インタフェースで用いるメッセージの一部の利用、あるいは新規メッセージの追加により前記設定情報を複数の前記基地局装置に送信することを特徴とする請求項２に記載のゲートウェイ装置。
【請求項９】
前記制御部は、前記監視装置から複数の前記基地局装置が配下の端末装置との通信規制を行う前記設定情報を受信し、当該設定情報の通信規制の項目に対応する前記メッセージを前記基地局装置に送信することを特徴とする請求項８に記載のゲートウェイ装置。
【請求項１０】
前記制御部は、前記メッセージとしてＡＣＢ（Ａｃｃｅｓｓ  Ｃｌａｓｓ  Ｂａｒｒｉｎｇ）の情報を用いることを特徴とする請求項８に記載のゲートウェイ装置。
【請求項１１】
前記制御部は、前記メッセージとしてＴＡＣ（Ｔｒａｃｋｉｎｇ  Ａｒｅａ  Ｃｏｄｅ）の情報を用いることを特徴とする請求項８に記載のゲートウェイ装置。
【請求項１２】
監視装置がゲートウェイ装置を介して複数の基地局装置に接続される通信システムにおいて、
前記監視装置は、複数の前記基地局装置に対する設定情報を、前記ゲートウェイ装置との間の通信を行う第１の機器間インタフェースを介して送信し、
前記ゲートウェイ装置は、前記監視装置から設定情報を受信した場合、前記基地局装置との間の第２の機器間インタフェースに適合した形式に前記設定情報をプロトコル変換した設定情報を生成し、前記生成した設定情報を前記複数の基地局装置に対して第２の機器間インタフェースを介して送信する制御部を有し、
複数の前記基地局装置は、前記ゲートウェイ装置から受信した前記設定情報に基づき配下の端末装置との間の通信制御を行うことを特徴とする通信システム。
【請求項１３】
前記ゲートウェイ装置は、複数の前記基地局装置から前記設定情報に基づく設定状態の応答情報を受信した場合、複数の前記基地局装置からの前記応答情報をとりまとめた応答情報を前記監視装置に送信することを特徴とする請求項１２に記載の通信システム。
【発明の詳細な説明】
【技術分野】
【０００１】
本発明は、複数の基地局に対する設定を行うゲートウェイ装置および通信システムに関する。
【背景技術】
【０００２】
フェムトセルの小型な基地局は、多数設置されており、これら多数の基地局に対し、移動局との間の通信規制などの設定は設定情報を用いて行われる。この基地局は、監視装置との間の監視Ｉ／Ｆを介して個々に接続制御され、監視装置が個々の基地局に接続後、設定情報を送信することで監視設定を行うことができる。また、複数の基地局は、呼制御Ｉ／Ｆを介して常時ゲートウェイ装置に接続され、呼制御通信を行うようになっている。【０００３】
従来、移動局とゲートウェイ装置との間でアクセスポイント毎にサービスベアラを設定し、サービスベアラのタイプ別に通信規制する技術がある（例えば、下記特許文献１参照。）。また、ネットワーク（基地局）のオーバーロードを防ぐために、アクセス規制の設定情報としてＡＣＢ情報（ＡＣＢ：Ａｃｃｅｓｓ  Ｃｌａｓｓ  Ｂａｒｒｉｎｇ）を用いて端末の通信規制を行う技術がある（例えば、下記特許文献２参照。）。また、特定サービスのためにＡＣＢ情報を用いて端末にブロードキャストメッセージで通知し、通信規制を行う技術がある（例えば、下記特許文献３参照。）。
【先行技術文献】
【特許文献】
【０００４】
【特許文献１】特開２０１２−１１９８２６号公報
【特許文献２】特表２０１３−５３６６３６号公報
【特許文献３】特表２０１２−５２９８０６号公報
【発明の概要】
【発明が解決しようとする課題】
【０００５】
しかしながら、従来の技術では、監視装置から複数の基地局に対して通信規制の設定情報を一斉に通知することができなかった。例えば、突発的な災害の発生時には、緊急に数万台の基地局に通信規制の情報を通知し、端末と基地局との間の通信規制を行う必要があるが、これが行えなかった。【０００６】
監視装置が監視Ｉ／Ｆを介して通信規制の設定情報を通知するには、１台の基地局毎に順次接続開始の処理を行った後に設定情報を通知し、通信終了の接続切断の処理を行う必要がある。このため、監視装置は、基地局に一斉に通信規制の情報を通知することができず、基地局が多いほど時間がかかった。また、監視装置は、多数の基地局からの同時の返答（レスポンス）を同時に処理することもできない。なお、監視装置（サーバ）を増設することで処理能力を増やすことはできるが、コストが増加する。また、処理能力の向上によって監視ＩＦを用いた並行処理が可能になるものの、通信開始処理と通信終了処理によって、多数の基地局に対して設定情報を一斉通知することはできない。【０００７】
一つの側面では、本発明は、複数の基地局の通信設定を一斉に行えることを目的とする。
【課題を解決するための手段】
【０００８】
一つの案では、ゲートウェイ装置は、監視装置との間の通信を行う第１の機器間インタフェースと、配下の複数の基地局装置との間の通信を行う第２の機器間インタフェースと、前記第１の機器間インタフェースを介して前記監視装置から設定情報を受信した場合、前記基地局装置との間の第２の機器間インタフェースに適合した形式に前記設定情報をプロトコル変換した設定情報を生成し、前記生成した設定情報を前記複数の基地局装置に対して前記第２の機器間インタフェースを介して送信する制御部を有することを要件とする。
【発明の効果】
【０００９】
一つの実施形態によれば、複数の基地局の通信設定を一斉に行える。
【図面の簡単な説明】
【００１０】
【図１】図１は、実施の形態１にかかるゲートウェイ装置を含む通信システムの全体構成を示すブロック図である。
【図２】図２は、実施の形態１にかかるゲートウェイ装置を含む通信システムの全体の処理概要を示すシーケンス図である。
【図３】図３は、ＧＷから基地局への設定指示の送信にかかる構成を示すブロック図である。
【図４】図４は、監視装置からＧＷを介して各基地局への一括設定指示にかかる処理内容を示すフローチャートである。
【図５】図５は、一括設定指示にかかる処理内容を示すシーケンス図である。
【図６】図６は、基地局からＧＷへの設定指示応答の送信にかかる構成を示すブロック図である。
【図７】図７は、基地局からＧＷへの設定指示応答にかかる処理内容を示すフローチャートである。
【図８】図８は、設定指示応答にかかる処理内容を示すシーケンス図である。
【図９】図９は、プロトコル変換部が行う他のプロトコル変換例である。
【図１０】図１０は、各Ｆｅｍｔｏグループ種類別の対象Ｆｅｍｔｏ決定部を示す図表である。
【図１１】図１１は、実施の形態２にかかるＧＷと基地局の構成例を示すブロック図である。
【図１２】図１２は、実施の形態２にかかる監視装置からＧＷを介して各基地局への一括設定指示の処理内容を示すフローチャートである。
【図１３】図１３は、実施の形態２にかかる監視装置からＧＷを介して各基地局への一括設定指示の処理内容を示すシーケンス図である。
【図１４】図１４は、実施の形態２にかかる基地局からＧＷへの設定指示応答の処理内容を示すフローチャートである。
【図１５】図１５は、実施の形態２にかかる基地局からＧＷへの設定指示応答の処理内容を示すシーケンス図である。
【図１６】図１６は、実施の形態３にかかるＧＷと基地局の構成例を示すブロック図である。
【図１７】図１７は、実施の形態３にかかる監視装置からＧＷを介して各基地局への一括設定指示の処理内容を示すフローチャートである。
【図１８】図１８は、実施の形態３にかかる監視装置からＧＷを介して各基地局への一括設定指示の処理内容を示すシーケンス図である。
【図１９】図１９は、実施の形態４にかかるＧＷと基地局の構成例を示すブロック図である。
【図２０】図２０は、実施の形態４にかかる基地局からＧＷへの設定指示応答の送信にかかる構成を示すブロック図である。
【図２１】図２１は、監視ＩＦとしてのＴＲ０６９  ＩＦで用いるＡＣＢの制御情報のパラメータと項目内容の一覧を示す図表である。
【図２２】図２２は、ＧＷによるＳ１メッセージへの一括設定要求のマッピング例を示す図表である。
【図２３】図２３は、基地局からＧＷへのＳ１メッセージを用いた設定要求応答のマッピング例を示す図表である。
【図２４】図２４は、ＧＷによるＳ１メッセージへの一括設定要求のマッピングの他の例を示す図表である。
【図２５】図２５は、ＧＷによるＳ１メッセージ例を示す図表である。
【図２６】図２６は、基地局からＧＷへのＳ１メッセージを用いた設定要求応答のマッピング例を示す図表である。
【図２７】図２７は、既存の方式による複数の基地局に対する設定指示の手順を示すシーケンス図である。
【発明を実施するための形態】
【００１１】
（実施の形態１）
（通信システムの全体構成例）
以下に添付図面を参照して、開示技術の好適な実施の形態を詳細に説明する。実施の形態１では、通信システムの全体構成について説明する。
【００１２】
図１は、実施の形態１にかかるゲートウェイ装置を含む通信システムの全体構成を示すブロック図である。通信システム１００は、監視装置１０１と、ゲートウェイ装置（ＧＷ）１０２と、小型な基地局装置（以下、基地局、Ｆｅｍｔｏと呼ぶ）１０３と、各基地局１０３の通信領域Ａ配下に存在する端末（ＵＥ）１０４とを含む。
【００１３】
なお、図１には図示を省略しているが、通信システムの全体構成として、ゲートウェイ装置１０２の上位装置を含み得る。ゲートウェイ装置１０２の上位装置として、ＭＭＥ（Ｍｏｂｉｌｉｔｙ  Ｍａｎａｇｅｍｅｎｔ  Ｅｎｔｉｔｙ）、Ｓ−ＧＷ（Ｓｅｒｖｉｎｇ−ＧａｔｅＷａｙ）などが一例として挙げられる。
【００１４】
監視装置１０１は、第１の機器間インタフェースである監視ＩＦ１１１を用いてＧＷ１０２に対して監視装置１０１が監視する基地局１０３への一括設定指示Ｄ１を送信する。一括設定指示Ｄ１は、例えば、監視装置１０１が監視する基地局１０３の全てに対する通信規制の通知メッセージを含む。
【００１５】
監視装置１０１は、ＧＷ１０２との通信のために、監視ＩＦ１１１を介してＧＷ１０２に対するコネクション接続処理（接続開始および切断）の処理を行う。なお、監視装置１０１が監視する全てのＧＷ１０２のうち一部のＧＷ１０２をグループ指定することができるほか、エリア指定を行って一括設定指示Ｄ１を送信することもできる。
【００１６】
ＧＷ１０２は、監視装置１０１から一括設定指示（設定情報）Ｄ１を受信すると、この一括設定指示Ｄ１に含まれる通知規制のメッセージを呼制御プロトコルに変換する（ＧＷ１０２の処理Ｄ２）。そして、ＧＷ１０２は、変換された呼制御プロトコルにしたがい変換した通信規制のメッセージを含む設定指示（設定情報）Ｄ３を第２の機器間インタフェースである呼制御ＩＦ１１２を介して全ての基地局１０３に設定する。
【００１７】
ＧＷ１０２と各基地局１０３とは、呼制御ＩＦ１１２として例えば、Ｓ１インタフェースを介して常時接続され、Ｓ１メッセージをやり取りする。これにより、監視装置１０１は、一括設定指示Ｄ１を１度送信するだけで、ＧＷ１０２により通信規制の設定指示Ｄ３のメッセージを全ての基地局１０３に設定することができる。
【００１８】
この基地局１０３は、通信規制のメッセージを最終的にＵＥ１０４に通知することで基地局１０３とＵＥ１０４との間の通信規制を行うことができる。
【００１９】
図２は、実施の形態１にかかるゲートウェイ装置を含む通信システムの全体の処理概要を示すシーケンス図である。この図を用いて監視装置１０１〜ＧＷ１０２〜基地局１０３間での情報のやり取りを説明する。
【００２０】
はじめに、監視装置１０１は、ＧＷ１０２に監視ＩＦ１１１を介してコネクション接続処理Ｄ０（接続開始）を行い、監視装置１０１は、一括設定対象の基地局１０３を指定して一括設定指示Ｄ１を送信する。監視装置１０１から一括設定指示Ｄ１を受け取ったＧＷ１０２は、一括設定指示Ｄ１に含まれる一括設定対象のグループの各基地局１０３に対して、呼制御ＩＦ１１２を介してそれぞれ設定指示Ｄ３を送信する。
【００２１】
監視装置１０１は、呼制御ＩＦ１１２を有しておらず、呼制御ＩＦ１１２を有しているＧＷ１０２に一括設定指示Ｄ１を送信する。そして、ＧＷ１０２が一括設定対象の各基地局１０３に対して設定指示Ｄ３を送信する。
【００２２】
ＧＷ１０２から設定指示を受け取った各基地局１０３は、設定指示Ｄ３に基づく設定が終了すると、それぞれ呼制御ＩＦ１１２を介して設定指示Ｄ３に基づく設定状態を示す応答情報として設定指示応答Ｄ４をＧＷ１０２に送信する。この際、基地局１０３は、設定指示Ｄ３を端末１０４に送信し、端末１０４側で設定指示Ｄ３に基づく通信設定を行うか否かを判断してもよい。この場合、基地局１０３は、端末１０４での判断結果（設定の有無、あるいは設定成功／設定失敗）を設定指示応答Ｄ４として用いる。各基地局１０３は、設定指示Ｄ３に基づき設定処理が終了した時点でそれぞれ設定指示応答Ｄ４をＧＷ１０２に送信する。
【００２３】
ＧＷ１０２は、一括設定対象の全基地局１０３から設定指示応答Ｄ４を受け取った時点、あるいは、ＧＷ１０２の一括設定応答待機タイマが満了した時点でこれら設定指示応答Ｄ４をとりまとめて１つの一括設定指示返答Ｄ５を生成する。そして、ＧＷ１０２は、監視ＩＦ１１１を介して監視装置１０１に一括設定指示返答Ｄ５を送信する。この後、監視装置１０１は、ＧＷ１０２との間の監視ＩＦ１１１によるコネクション切断処理Ｄ６（接続切断）を行い、一括設定に関する一連の処理を終了する。
【００２４】
上記処理において、監視装置１０１は、ＧＷ１０２に対し、１度のコネクション処理（接続開始Ｄ０および接続切断Ｄ６）を行うだけで複数の基地局１０３に対する通信規制などの一括設定を行うことができるようになる。
【００２５】
（ＧＷ−基地局間の設定指示の変換例）
図３は、ＧＷから基地局への設定指示の送信にかかる構成を示すブロック図である。はじめに、図３を用いてＧＷ１０２から各基地局１０３への一括設定指示にかかる構成について説明する。以下の説明では、基地局１０３がＦｅｍｔｏである例を用いて説明する。一括設定指示Ｄ１（設定指示Ｄ３）を受信した対象グループのＦｅｍｔｏ１０３は、端末１０４との間の通信規制を行う。
【００２６】
監視装置１０１とＧＷ１０２では、送受信するメッセージ（一括設定指示Ｄ１等）の定義および共有を事前に行っておく。
【００２７】
ＧＷ１０２は、ＣＰＵ３０１、および図示しないメモリ（ＲＯＭ、ＲＡＭ等）を有し、ＲＯＭに格納されたプログラムをＣＰＵ３０１が実行することにより、ＧＷ１０２の動作を制御する。この際、ＲＡＭを処理作業用のデータエリアとして用いる。
【００２８】
ＧＷ１０２は、監視ＩＦ送受信部３０２と、監視機能部３０３と、一括設定処理部３０４と、対ＭＭＥ送受信部３０５と、テレコム処理部３０６と、対Ｆｅｍｔｏ送受信部３０７と、を含む。監視ＩＦ送受信部３０２は、監視ＩＦ１１１を介して監視装置１０１との間の送受信を行うＩＦである。テレコム処理部３０６は、一括設定判断部３０６ａを含む。
【００２９】
監視機能部３０３は、監視ＩＦ送受信部３０２が監視装置１０１から一括設定指示Ｄ１を受信したかを判断する一括設定判断部３０３ａを含む。一括設定判断部３０３ａは、受信したメッセージが既存の監視ＩＦ１１１を用いたメッセージであるか、一括設定用のメッセージ（一括設定指示Ｄ１）であるかを判断する。一括設定判断部３０３ａは、一括設定指示Ｄ１を一括設定処理部３０４に出力する。
【００３０】
一括設定処理部３０４は、監視ＩＦ１１１を介して受信した一括設定指示Ｄ１を呼制御ＩＦ１１２が用いるメッセージに変換するプロトコル変換部３０４ａを含む。プロトコル変換部３０４ａによるプロトコル変換により、各基地局１０３に対する設定指示Ｄ３が生成され、対Ｆｅｍｔｏ送信部３０７に出力される。
【００３１】
プロトコル変換部３０４ａは、一括設定指示Ｄ１を呼制御ＩＦ１１２が用いる汎用の端末１０４とＦｅｍｔｏ１０３間の通信規制情報（ＡＣＢ）や、ＴＡＣ（Ｔｒａｃｋｉｎｇ  Ａｒｅａ  Ｃｏｄｅ）変更のメッセージに変換する。これらの変換例については後述する。
【００３２】
対Ｆｅｍｔｏ送受信部３０７は、プロトコル変換後の設定指示Ｄ３を一括設定するグループの各Ｆｅｍｔｏ１０３に対し、呼制御ＩＦ１１２を介して送信する。
【００３３】
なお、一括設定指示Ｄ１は、ＧＷ１０２に接続されるＭＭＥ等の上位コアノードから受信することもでき、対ＭＭＥ送受信部３０５を介して一括設定指示Ｄ１を受信することもできる。
【００３４】
基地局（Ｆｅｍｔｏ）１０３は、制御部（ＣＰＵ）３１１、メモリ３１２、ＲＦ部３１３と、を含む。ＣＰＵ３１１は、図示しないＲＯＭ、ＲＡＭを有し、ＲＯＭに格納されたプログラムをＣＰＵ３１１が実行することにより、Ｆｅｍｔｏ１０３の動作を制御する。この際、ＲＡＭを処理作業用のデータエリアとして用いる。
【００３５】
ＣＰＵ３１１は、監視ＩＦ送受信部３２１と、監視機能部３２２と、設定ファイル処理部３２３と、対ＧＷ送受信部３２４と、ＲＲＣ機能部３２５と、を含む。監視ＩＦ送受信部３２１と監視機能部３２２は、監視装置１０１から送信される既存の監視処理にかかる処理を行う（この実施の形態における一括設定処理には関与しない）。
【００３６】
対ＧＷ送受信部３２４は、ＧＷ１０２（対Ｆｅｍｔｏ送受信部３０７）から呼制御ＩＦ１１２を介して設定指示Ｄ３を受信し、ＲＲＣ機能部３２５に出力する。
【００３７】
ＲＲＣ（Ｒａｄｉｏ  Ｒｅｓｏｕｒｃｅ  Ｃｏｎｔｒｏｌ）機能部３２５は、ＲＲＣ処理部３２５ａと、設定更新部３２５ｂと、を含む。設定更新部３２５ｂは、ＧＷ１０２から受信した設定指示Ｄ３の設定内容をメモリ３１２の設定ファイル３１２ａに書き込む。ＲＲＣ処理部３２５ａは、設定ファイル３１２ａを読み込んで、端末１０４への送信メッセージを作成し、ＲＦ部３１３のＲＦ処理部３１３ａを介して送信する。
【００３８】
この端末１０４への送信メッセージ（監視装置１０１の一括設定指示Ｄ１に対応）に基づき、端末１０４は、Ｆｅｍｔｏ１０３との間の通信規制を行う。
【００３９】
図３には、プロトコル変換部３０４ａが行うプロトコル変換例を併記してある。変換前メッセージ例３３１は、監視ＩＦ１１１のプロトコルで用いる一括設定指示Ｄ１のメッセージであり、変換後メッセージ例３３２は、呼制御ＩＦ１１２のプロトコルで用いる設定指示Ｄ３のメッセージである。そして、変換前メッセージ例３３１のＳｅｔＰａｒａｍｅｔｅｒＶａｌｕｅｓの内容を変換後メッセージ例３３２のＷａｒｎｉｎｇ  Ｍｅｓｓａｇｅ  Ｃｏｎｔｅｎｔｓに変換する。
【００４０】
そして、この例では、一括設定指示Ｄ１が示す通信規制の３つのパラメータ（一括設定の内容、対象エリア情報、設定パターン）を、変換後メッセージ例３３２のＷａｒｎｉｎｇ  Ｍｅｓｓａｇｅ  Ｃｏｎｔｅｎｔｓに格納している。そして、このパラメータ変換では、変換前メッセージ（一括設定指示Ｄ１）の一括設定の内容を示すＣｏｍｍａｎｄとＡＣＢ情報を００１，００１に変換している。また、設定パターンを示すＰａｔｔｅｒｎ，ｃｕｓｔｏｍ１を００２，０１１に変換している。また、対象エリア情報を示すＨｅＮＢ  Ｇｒｏｕｐ，２６８００を００３，２６８００に変換している。
【００４１】
図４は、監視装置からＧＷを介して各基地局への一括設定指示にかかる処理内容を示すフローチャートである。はじめに、監視装置１０１は、ＧＷ１０２に監視ＩＦ１１１を介して一括設定指示Ｄ１を送信する（ステップＳ４０１）。
【００４２】
ＧＷ１０２は、監視装置１０１から一括設定指示Ｄ１を受信したか判断し（ステップＳ４０２）、一括設定指示Ｄ１を受信すれば（ステップＳ４０２：Ｙｅｓ）、プロトコル変換部３０４ａにて監視ＩＦ１１１のプロトコルの一括設定指示Ｄ１を呼制御ＩＦ１１２のプロトコルに変換する（ステップＳ４０３）。一方、ステップＳ４０２にて一括設定指示Ｄ１以外のメッセージの受信時には（ステップＳ４０２：Ｎｏ）、監視機能部３０３にて既存のメッセージ処理を行い（ステップＳ４０４）、処理を終了する。
【００４３】
ステップＳ４０３の後、ＧＷ１０２は、対Ｆｅｍｔｏ送受信部３０７に設定指示Ｄ３を格納し、Ｆｅｍｔｏ１０３に設定指示Ｄ３のメッセージを送信する（ステップＳ４０５）。
【００４４】
Ｆｅｍｔｏ１０３は、設定指示Ｄ３の受信の有無を判断する（ステップＳ４０６）。例えば、Ｆｅｍｔｏ１０３は、網側の通信インタフェースにおいてＧＷ１０２などの装置からの受信信号を検知したことに応じて、当該受信信号が設定指示Ｄ３であるか否かを判定することにより、設定指示Ｄ３の受信の有無を判断する。
【００４５】
Ｆｅｍｔｏ１０３が設定指示Ｄ３を受信した場合（ステップＳ４０６：Ｙｅｓ）、設定更新部３２５ｂが設定ファイル処理部３２３に設定指示Ｄ３の設定の書込処理を行わせ（ステップＳ４０７）、ステップＳ４０８に移行する。これにより、設定ファイル３１２ａに設定指示Ｄ３が書き込まれる。一方、網側の通信インタフェースにおいてＧＷ１０２などの装置からの受信信号を検知したものの、当該受信信号が設定指示Ｄ３ではなく、例えばＭＭＥからのＳ１メッセージであった場合、設定指示Ｄ３の受信ではないと判断し（ステップＳ４０６：Ｎｏ）、ステップＳ４０８に移行する。
【００４６】
この後ステップＳ４０８では、所定の送信タイミングが到来したことに応じて、ＲＲＣ処理部３２５ａが設定ファイル処理部３２３を介して設定ファイル３１２ａから読み込んだ内容に基づく制御情報を、端末１０４に送信する（ステップＳ４０８）。その結果、設定ファイル３１２ａに設定指示Ｄ３が書き込まれている場合には、設定指示Ｄ３が示す内容、例えば通信規制の設定に基づく制御情報が、端末１０３に送信される（ステップＳ４０８）。
【００４７】
図５は、一括設定指示にかかる処理内容を示すシーケンス図である。監視装置１０１から送信した一括設定指示Ｄ１は、ＧＷ１０２の監視機能部３０３が受信して監視処理を行う（ステップＳ５０１）。監視機能部３０３は一括設定指示Ｄ１の場合、一括設定指示Ｄ１を一括設定処理部３０４に転送し、一括設定処理部３０４はプロトコル変換処理Ｄ２を行う（ステップＳ５０２）。
【００４８】
ＲＲＣ機能部３２５は、設定指示Ｄ３を設定ファイル処理部３２３により設定ファイル３１２ａに書き込ませる（ステップＳ５０４）。そして、ＲＲＣ機能部３２５は、設定ファイル処理部３２３を介して設定ファイル３１２ａを読み込み（ステップＳ５０５）、通信規制を含む設定指示を端末１０４に送信する。
【００４９】
図６は、基地局からＧＷへの設定指示応答の送信にかかる構成を示すブロック図である。次に、図６を用いて基地局１０３からＧＷ１０２への設定指示応答Ｄ４にかかる構成について説明する。設定指示Ｄ３を受信した対象グループのＦｅｍｔｏ１０３は、端末１０４との間の通信規制を行う。
【００５０】
一括設定処理を終えたＦｅｍｔｏ１０３は、ＧＷ１０２に対して設定指示応答Ｄ４を送信する。これは、Ｆｅｍｔｏ１０３が監視装置１０１との間で既存の監視ＩＦ１１１を用いたメッセージ処理との分別をするためである。設定指示応答Ｄ４のメッセージを生成したＦｅｍｔｏ１０３は、対ＧＷ送受信部３２５に設定指示応答Ｄ４のメッセージを格納してＧＷ１０２に送信する。この際、設定指示応答Ｄ４のメッセージ内容として設定成功あるいは設定失敗のパラメータを設定する。
【００５１】
ＧＷ１０２は、対Ｆｅｍｔｏ送受信部３０７がＦｅｍｔｏ１０３から受け取った設定指示応答Ｄ４をテレコム処理部３０６の一括設定判断部３０６ａに出力する。一括設定判断部３０６ａは、設定指示応答Ｄ４を一括設定処理部３０４に出力し、プロトコル変換部３０４ａは監視ＩＦ１１１のプロトコル変換を施す。一括設定判断部３０６ａでは、ＭＭＥに対するＳ１メッセージと、設定指示応答Ｄ４のメッセージとを区別する。プロトコル変換が施された設定指示応答Ｄ４は、監視ＩＦ送受信部３０２に格納され、監視ＩＦ１１１を介して監視装置１０１に送信される。
【００５２】
図６には、プロトコル変換部３０４ａが行うプロトコル変換例を併記してある。変換前メッセージ例６３１は、呼制御ＩＦ１１２のプロトコルで用いるメッセージであり、変換後メッセージ例６３２は、監視ＩＦ１１１のプロトコルで用いるメッセージである。そして、この例では、設定変更したＦｅｍｔｏ１０３は、図３に記載した変換後メッセージ例３３２の各パラメータを保持した状態で変換前メッセージ６３１を生成する。この際、図３の変換後メッセージ例３３２のＷａｒｎｉｎｇ  Ｍｅｓｓａｇｅ  Ｃｏｎｔｅｎｔｓの各パラメータをＥＡ（Ｅｍｅｒｇｅｎｃｙ  Ａｒｅａ）ＩＤに格納する。
【００５３】
図６のように、設定指示応答Ｄ４の変換前メッセージ６３１として、設定成功時には、ＥＡＩＤに新たに００４，００１を格納する（なお、設定失敗時には００４，０００を格納する）。そして、ＧＷ１０２は、変換前メッセージ６３１をプロトコル変換し、設定指示応答Ｄ４の変換後メッセージ６３２を生成する。この際、変換前メッセージ６３１のＥＡＩＤのパラメータを変換後メッセージ６３２のＩｎｆｏｒｍに変換する。
【００５４】
変換後メッセージ６３２には、対象エリア情報が示すＨｅＮＢ  Ｇｒｏｕｐ単位の全Ｆｅｍｔｏ１０３が設定成功したときには、新たにＩｎｆｏｒｍのＳｔａｔｕｓを追加し、００１を格納する。設定失敗時には０００を格納する。この他に、設定成功／失敗したＦｅｍｔｏ１０３の数を格納してもよい。
【００５５】
図７は、基地局からＧＷへの設定指示応答にかかる処理内容を示すフローチャートである。はじめに、Ｆｅｍｔｏ１０３のＲＲＣ機能部３２５は、対ＧＷ送受信部３２４に設定指示応答Ｄ４を格納してＧＷ１０２に設定指示応答Ｄ４を送信する（ステップＳ７０１）。
【００５６】
ＧＷ１０２では、受信したメッセージが以前に送信した設定指示Ｄ３に対する設定指示応答Ｄ４であるか判断する（ステップＳ７０２）。この際、一括設定判断部３０６ａでは、ＭＭＥに送信するＳ１メッセージであるか、監視装置１０１に送信する設定指示応答Ｄ４のメッセージであるかを区別する。設定指示応答Ｄ４の受信の場合には（ステップＳ７０２：Ｙｅｓ）、呼制御ＩＦ１１２のプロトコルの設定指示応答Ｄ４をプロトコル変換部３０４ａにて監視ＩＦ１１１のプロトコルに変換する（ステップＳ７０３）。受信したメッセージが設定指示応答Ｄ４ではない場合には（ステップＳ７０２：Ｎｏ）、テレコム処理部３０６にてメッセージを処理し（ステップＳ７０４）、処理を終了する。
【００５７】
ステップＳ７０３の後、ＧＷ１０２は、監視ＩＦ送受信部３０２に設定指示応答Ｄ４を格納し、監視ＩＦ１１１を介して監視装置１０１に設定指示応答Ｄ４を送信し（ステップＳ７０５）、処理を終了する。
【００５８】
図８は、設定指示応答にかかる処理内容を示すシーケンス図である。端末１０４は、設定指示Ｄ３に対応した通信規制の処理を実行し、設定指示応答Ｄ４をＦｅｍｔｏ１０３に送信する。Ｆｅｍｔｏ１０３は、端末１０４からの設定指示応答Ｄ４をＧＷ１０２に転送する。
【００５９】
そして、ＧＷ１０２のテレコム処理部３０６は、一括設定処理部３０４に設定指示応答Ｄ４を転送する。一括設定処理部３０４は、呼制御ＩＦのプロトコルの設定指示応答Ｄ４を監視ＩＦのプロトコルにプロトコル変換する（ステップＳ８０２）。プロトコル変換後の設定指示応答Ｄ４は、ＧＷ１０２の監視ＩＦ送受信部３０２を介して監視装置１０１に送信される。
【００６０】
図９は、プロトコル変換部が行う他のプロトコル変換例である。図９の（ａ）には、ＧＷ１０２からＦｅｍｔｏ１０３に対して送信する際の一括設定指示Ｄ１の変換メッセージを示している。変換前メッセージ９３１のＳｅｔＰａｒａｍｅｔｅｒＶａｌｕｅｓの内容を変換後メッセージ９３２のＷａｒｎｉｎｇ  Ｍｅｓｓａｇｅ  Ｃｏｎｔｅｎｔｓに変換する。
【００６１】
そして、この例は、あるエリアでのＦｅｍｔｏ群１０３のＴＡＣを一斉に変更する場合を示している。一括設定指示Ｄ１が示す通信規制の３つのパラメータ（一括設定の内容、対象エリア情報、設定パターン）を、変換後メッセージ９３２のＷａｒｎｉｎｇ  Ｍｅｓｓａｇｅ  Ｃｏｎｔｅｎｔｓに格納している。そして、このパラメータ変換では、変換前メッセージ（一括設定指示Ｄ１）の一括設定の内容を示すＣｏｍｍａｎｄとＴＡＣ情報を００１，００４に変換している。また、設定パターンを示すＴＡＣ，２３４５６を００２，２３４５６に変換している。また、対象エリア情報を示すＨｅＮＢ  Ｇｒｏｕｐ，１８４６０を００３，１８４６０に変換している。
【００６２】
このように、ＴＡＣ情報を用いる場合、上述したＡＣＢ情報を用いる場合と異なり、Ｆｅｍｔｏ１０３は、設定指示Ｄ３を自装置（Ｆｅｍｔｏ１０３）内での設定ファイル３１２ａの反映だけとする。この場合、Ｆｅｍｔｏ１０３は、ＲＦ部３１３を機能させず、端末１０４へ送信メッセージは送信しない。
【００６３】
また、図９の（ｂ）には、Ｆｅｍｔｏ１０３からＧＷ１０２に対して送信する際の設定指示応答Ｄ４の変換メッセージを示している。プロトコル変換部３０４ａは、設定変更したＦｅｍｔｏ１０３は、図９の（ａ）に記載した変換後メッセージ例９３２の各パラメータを保持した状態で変換前メッセージ９３３を生成する。この際、図９の（ａ）の変換後メッセージ９３２のＷａｒｎｉｎｇ  Ｍｅｓｓａｇｅ  Ｃｏｎｔｅｎｔｓの各パラメータをＥＡ（Ｅｍｅｒｇｅｎｃｙ  Ａｒｅａ）ＩＤに格納する。
【００６４】
図９の（ｂ）に示すように、設定指示応答Ｄ４の変換前メッセージ９３３として、設定成功時には、ＥＡＩＤに新たに００４，００１を格納する（なお、設定失敗時には００４，０００を格納する）。そして、ＧＷ１０２は、変換前メッセージ９３３をプロトコル変換し、設定指示応答Ｄ４の変換後メッセージ９３４を生成する。この際、変換前メッセージ９３３のＥＡＩＤのパラメータを変換後メッセージ９３４のＩｎｆｏｒｍに変換する。
【００６５】
変換後メッセージ９３４には、対象エリア情報が示すＨｅＮＢ  Ｇｒｏｕｐ単位の全Ｆｅｍｔｏ１０３が設定成功したときには、新たにＩｎｆｏｒｍのＳｔａｔｕｓを追加し、００１を格納する。設定失敗時には０００を格納する。この他に、設定成功／失敗したＦｅｍｔｏ１０３の数を格納してもよい。
【００６６】
以下の各実施の形態では、通信規制の一括設定対象となるＦｅｍｔｏ１０３を通信システムのどの部分で決定するかをそれぞれ説明する。図１０は、各Ｆｅｍｔｏグループ種類別の対象Ｆｅｍｔｏ決定部を示す図表である。
【００６７】
図１０に示すように、（１）各ＧＷ１０２が束ねるＦｅｍｔｏ群１０３は、ＧＷ１０２が対象Ｆｅｍｔｏ１０３を決定する。また、（２）ＥＡＩＤ群で一括設定する場合には、各Ｆｅｍｔｏ１０３自身が決定する。（３）ＴＡ（Ｔｒａｃｋｉｎｇ  Ａｒｅａ）ＩＤ群で一括設定する場合には、ＧＷ１０２およびＦｅｍｔｏ１０３が決定する。
【００６８】
（１）「各ＧＷが束ねるＦｅｍｔｏ群」は、あるＧＷ１０２が管理する複数のＦｅｍｔｏ１０３を指す。（２）「ＥＡＩＤ群」は、オペレータが定義できる緊急エリア範囲である。（３）「ＴＡＩＤ群」は、例えば、ＬＴＥの位置登録エリアであるＴＡＣのリストから得られる範囲である。端末１０４は、位置登録エリアから別の位置登録エリアへ移動すると、改めて位置登録をする必要がある。
【００６９】
（実施の形態２）
実施の形態２では、上記（１）一括設定対象のＦｅｍｔｏをＧＷが判断する場合の構成例を説明する。図１１は、実施の形態２にかかるＧＷと基地局の構成例を示すブロック図である。
【００７０】
図１１において、図３と同一の構成部には同一の符号を付してある。この実施の形態２では、ＧＷ１０２の一括設定処理部３０４は、さらに、Ｆｅｍｔｏグループ判断部３０４ｂと、ステータス登録部３０４ｃを含む。また、ＣＰＵ３０１がアクセス可能なメモリ１１０１には、Ｆｅｍｔｏグループリスト１１０１ａと、ステータス確認リスト１１０１ｂを含む。
【００７１】
はじめに、監視装置１０１からＦｅｍｔｏ１０３への一括設定の際の構成を説明する。監視装置１０１は、監視ＩＦ１１１でＧＷ１０２に対して、Ｆｅｍｔｏグループ情報を含めた一括設定指示Ｄ１のメッセージを送信する。一括設定指示Ｄ１を受信したＧＷ１０２は、プロトコル変換部３０４ａにより、受信したメッセージを呼制御ＩＦ１１２のプロトコルに変換する。
【００７２】
次に、Ｆｅｍｔｏグループ判断部３０４ｂは、ＧＷ１０２のメモリ１１０１上のＦｅｍｔｏグループリスト１１０１ａを参照して、一括設定対象のＦｅｍｔｏグループを判断する。そして、Ｆｅｍｔｏグループ判断部３０４ｂは、一括設定対象のＦｅｍｔｏ１０３が決まると、対Ｆｅｍｔｏ送受信部３０７にプロトコル変換後の設定指示Ｄ３のメッセージを格納して、一括設定対象のＦｅｍｔｏ１０３に設定指示Ｄ３のメッセージを送信する。なお、Ｆｅｍｔｏ１０３内でのメッセージのやり取りは、実施の形態１と同様である。
【００７３】
次に、Ｆｅｍｔｏ１０３から監視装置１０１への設定応答の際の構成について説明する。設定指示Ｄ３に対する設定処理を終えたＦｅｍｔｏ１０３は、設定結果を監視装置１０１に応答する。Ｆｅｍｔｏ１０３は、設定指示応答Ｄ４のメッセージを対ＧＷ送受信部３２４に格納してＧＷ１０２に送信する。
【００７４】
設定指示応答Ｄ４のメッセージを受信したＧＷ１０２は、プロトコル変換部３０４ａが呼制御ＩＦ１１２のプロトコルのメッセージを監視ＩＦ１１１のプロトコルに変換する。次に、ステータス登録部３０４ｃがメモリ１１０１上のステータス確認リスト１１０１ｂにメッセージ内の設定結果を登録する。ＧＷ１０２は、一括設定対象の全Ｆｅｍｔｏ１０３から設定指示応答Ｄ４が返ってくると、監視装置１０１にステータス確認リスト１１０１ｂを送信する。
【００７５】
このほか、ステータス登録部３０４ｃは、設定指示応答Ｄ４として返答があったＦｅｍｔｏ１０３のＩＤに紐づいた成功／失敗の情報を監視装置１０１に送信してもよい。例えば、Ｆｅｍｔｏ１０３毎の設定成功／設定失敗を下記のように一覧化して送信してもよい。
Ｆｅｍｔｏ１：８０ＵＥ成功
Ｆｅｍｔｏ２：２４ＵＥ成功
【００７６】
図１２は、実施の形態２にかかる監視装置からＧＷを介して各基地局への一括設定指示の処理内容を示すフローチャートである。はじめに、監視装置１０１は、ＧＷ１０２に監視ＩＦ１１１を介して一括設定指示Ｄ１を送信する（ステップＳ１２０１）。
【００７７】
ＧＷ１０２は、監視装置１０１から一括設定指示Ｄ１を受信したか判断し（ステップＳ１２０２）、一括設定指示Ｄ１を受信すれば（ステップＳ１２０２：Ｙｅｓ）、プロトコル変換部３０４ａにて監視ＩＦ１１１のプロトコルの一括設定指示Ｄ１を呼制御ＩＦ１１２のプロトコルに変換する（ステップＳ１２０３）。一方、ステップＳ１２０２にて一括設定指示Ｄ１以外のメッセージの受信時には（ステップＳ１２０２：Ｎｏ）、監視機能部３０３にて既存のメッセージ処理を行い（ステップＳ１２０４）、処理を終了する。
【００７８】
ステップＳ１２０３の後、ＧＷ１０２は、一括設定対象のＦｅｍｔｏグループをＦｅｍｔｏグループリスト１１０１ａから選択する（ステップＳ１２０５）。そして、ＧＷ１０２は、対Ｆｅｍｔｏ送受信部３０７に選択したＦｅｍｔｏグループを含む設定指示Ｄ３を格納し、Ｆｅｍｔｏ１０３に設定指示Ｄ３のメッセージを送信する（ステップＳ１２０６）。
【００７９】
この後、Ｆｅｍｔｏ１０３は、ステップＳ１２０７の処理（実施の形態１の図４のステップＳ４０６〜ステップＳ４０８と同様の処理）を行う。すなわち、Ｆｅｍｔｏ１０３は、設定指示Ｄ３の受信を判断し（ステップＳ４０６）、受信すれば（ステップＳ４０６：Ｙｅｓ）、設定更新部３２５ｂが設定ファイル処理部３２３に設定指示Ｄ３の設定の書込処理を行わせ（ステップＳ４０７）、ステップＳ４０８に移行する。これにより、設定ファイル３１２ａに設定指示Ｄ３が書き込まれる。設定指示Ｄ３を受信していなければ（ステップＳ４０６：Ｎｏ）、ステップＳ４０８に移行する。
【００８０】
この後ステップＳ４０８では、ＲＲＣ処理部３２５ａが設定ファイル処理部３２３を介して設定ファイル３１２ａに設定された設定指示Ｄ３を読み込んで、端末１０４に設定指示Ｄ３が示す通信規制の設定を送信する。
【００８１】
図１３は、実施の形態２にかかる監視装置からＧＷを介して各基地局への一括設定指示の処理内容を示すシーケンス図である。監視装置１０１から送信した一括設定指示Ｄ１は、ＧＷ１０２の監視機能部３０３が受信して監視処理を行う（ステップＳ１３０１）。監視機能部３０３は一括設定指示Ｄ１の場合、一括設定指示Ｄ１を一括設定処理部３０４に転送し、一括設定処理部３０４はプロトコル変換処理Ｄ２を行う（ステップＳ１３０２）。
【００８２】
ＧＷ１０２の一括設定処理部３０４は、プロトコル変換後の設定指示Ｄ３について、Ｆｅｍｔｏグループリスト１１０１ａへアクセスして一括設定対象のＦｅｍｔｏグループを判断する（ステップＳ１３０３）。そして、一括設定処理部３０４は、一括設定対象のＦｅｍｔｏグループのＦｅｍｔｏ１０３に対し、設定指示Ｄ３を送信する。
【００８３】
以降、Ｆｅｍｔｏ１０３は、ステップＳ１３０４の処理（実施の形態１の図５のステップＳ５０３〜ステップＳ５０５と同様の処理）を行う。すなわち、ＲＲＣ機能部３２５は、設定指示Ｄ３を設定ファイル処理部３２３により設定ファイル３１２ａに書き込ませる（ステップＳ５０４）。そして、ＲＲＣ機能部３２５は、設定ファイル処理部３２３を介して設定ファイル３１２ａを読み込み（ステップＳ５０５）、通信規制を含む設定指示を端末１０４に送信する。
【００８４】
図１４は、実施の形態２にかかる基地局からＧＷへの設定指示応答の処理内容を示すフローチャートである。はじめに、Ｆｅｍｔｏ１０３のＲＲＣ機能部３２５は、対ＧＷ送受信部３２４に設定指示応答Ｄ４を格納して、ＧＷ１０２に設定指示応答Ｄ４を送信する（ステップＳ１４０１）。
【００８５】
ＧＷ１０２では、受信したメッセージが以前に送信した設定指示Ｄ３に対する設定指示応答Ｄ４であるか判断する（ステップＳ１４０２）。設定指示応答Ｄ４の受信の場合には（ステップＳ１４０２：Ｙｅｓ）、呼制御ＩＦ１１２のプロトコルの設定指示応答Ｄ４をプロトコル変換部３０４ａにて監視ＩＦ１１１のプロトコルに変換する（ステップＳ１４０３）。受信したメッセージが設定指示応答Ｄ４ではない場合（およびＭＭＥ宛のＳ１メッセージの場合を含む）には（ステップＳ１４０２：Ｎｏ）、テレコム処理部３０６にてメッセージを処理し（ステップＳ１４０４）、処理を終了する。
【００８６】
ステップＳ１４０３の後、ＧＷ１０２は、ステータス登録部３０４ｃによりステータス確認リスト１１０１ｂに一括設定結果を格納する（ステップＳ１４０５）。そして、ＧＷ１０２は、監視ＩＦ送受信部３０２に設定指示応答Ｄ４を格納し、監視ＩＦ１１１を介して監視装置１０１に設定指示応答Ｄ４としてステータス確認リストを送信し（ステップＳ１４０６）、処理を終了する。
【００８７】
図１５は、実施の形態２にかかる基地局からＧＷへの設定指示応答の処理内容を示すシーケンス図である。端末１０４は、設定指示Ｄ３に対応した通信規制の処理を実行し、設定指示応答Ｄ４をＦｅｍｔｏ１０３に送信する。Ｆｅｍｔｏ１０３は、端末１０４からの設定指示応答Ｄ４をＧＷ１０２に転送する。
【００８８】
そして、ＧＷ１０２のテレコム処理部３０６は、一括設定処理部３０４に設定指示応答Ｄ４を転送する。一括設定処理部３０４のプロトコル変換部３０４ａは、呼制御ＩＦ１１２のプロトコルの設定指示応答Ｄ４を監視ＩＦのプロトコルにプロトコル変換する（ステップＳ１５０２）。そして、ステータス登録部３０４ｃは、Ｆｅｍｔｏ１０３の一括設定状態をステータス確認リスト１１０１ｂに格納し（テップＳ１５０３）、ステータス確認リスト１１０１ｂは、設定指示応答Ｄ４として、ＧＷ１０２の監視ＩＦ送受信部３０２を介して監視装置１０１に送信される。
【００８９】
（実施の形態３）
実施の形態３では、上記（２）ＥＡＩＤを用いて一括設定対象のＦｅｍｔｏをＦｅｍｔｏ自身が判断する場合の構成例を説明する。図１６は、実施の形態３にかかるＧＷと基地局の構成例を示すブロック図である。
【００９０】
図１６において、図３と同一の構成部には同一の符号を付してある。この実施の形態２では、Ｆｅｍｔｏ１０３のＲＲＣ機能部３２５は、ＥＡＩＤ判断部３２５ｃを含む。
【００９１】
はじめに、監視装置１０１からＦｅｍｔｏ１０３への一括設定の際の構成を説明する。監視装置１０１は、監視ＩＦ１１１でＧＷ１０２に対して、ＥＡＩＤを含めた一括設定指示Ｄ１のメッセージを送信する。一括設定指示Ｄ１を受信したＧＷ１０２は、プロトコル変換部３０４ａにより、受信した一括設定指示Ｄ１を呼制御ＩＦ１１２のプロトコルに変換する。そして、対Ｆｅｍｔｏ送受信部３０７は、プロトコル変換後の設定指示Ｄ３のメッセージを格納して、Ｆｅｍｔｏ１０３に設定指示Ｄ３を送信する。
【００９２】
設定指示Ｄ３のメッセージを受信したＦｅｍｔｏ１０３は、ＲＲＣ処理部３２５ａにより呼制御ＩＦ１１２のプロトコルのメッセージを処理する。次に、ＥＡＩＤ判断部３２５ｃは、設定指示Ｄ３に含まれる一括指定されたＥＡＩＤ情報をもとに、自身のＦｅｍｔｏ１０３が設定指示Ｄ３のメッセージ内のＥＡの範囲内であるかどうかを判断し、ＥＡ範囲であれば設定を実行する。
【００９３】
ＥＡＩＤは、オペレータによって定義されるため、監視装置１０１はＥＡＩＤの情報を事前に共有してＧＷ１０２に対して通知しておく。
【００９４】
図１６には、Ｆｅｍｔｏ１０３が受信した設定指示Ｄ３に含まれるプロトコル変換後のメッセージ例１６０１を併記してある。この設定指示Ｄ３のメッセージには、Ｗａｒｎｉｎｇ  ＡｒｅａＬｉｓｔ（ＥＡ）が１３１０として設定されており、Ｆｅｍｔｏ１０３のＥＡＩＤ判断部３２５ｃは、自らが保持するＥＡＩＤが受信した設定指示Ｄ３に含まれるＷａｒｎｉｎｇ  ＡｒｅａＬｉｓｔ（ＥＡ）が一致した場合、Ｗａｒｎｉｎｇ  Ｍｅｓｓａｇｅ  Ｃｏｎｔｅｎｔｓの設定指示を実施する。なお、設定指示Ｄ３のＥＡＩＤはオペレータによって定義しておく。
【００９５】
図１７は、実施の形態３にかかる監視装置からＧＷを介して各基地局への一括設定指示の処理内容を示すフローチャートである。ステップＳ１７０１〜ステップＳ１７０５の処理は実施の形態１（図４のステップＳ４０１〜ステップＳ４０５）の処理と同じである。はじめに、監視装置１０１は、ＧＷ１０２に監視ＩＦ１１１を介して一括設定指示Ｄ１を送信する（ステップＳ１７０１）。
【００９６】
ＧＷ１０２は、監視装置１０１から一括設定指示Ｄ１を受信したか判断し（ステップＳ１７０２）、一括設定指示Ｄ１を受信すれば（ステップＳ１７０２：Ｙｅｓ）、プロトコル変換部３０４ａにて監視ＩＦ１１１のプロトコルの一括設定指示Ｄ１を呼制御ＩＦ１１２のプロトコルに変換する（ステップＳ１７０３）。一方、ステップＳ１７０２にて一括設定指示Ｄ１以外のメッセージの受信時には（ステップＳ１７０２：Ｎｏ）、監視機能部３０３にて既存のメッセージ処理を行い（ステップＳ１７０４）、処理を終了する。
【００９７】
ステップＳ１７０３の後、ＧＷ１０２は、対Ｆｅｍｔｏ送受信部３０７に設定指示Ｄ３を格納し、Ｆｅｍｔｏ１０３に設定指示Ｄ３のメッセージを送信する（ステップＳ１７０５）。
【００９８】
この後、Ｆｅｍｔｏ１０３は、設定指示Ｄ３の受信を判断し（ステップＳ１７０６）、受信すれば（ステップＳ１７０６：Ｙｅｓ）、ＥＡＩＤ判断部３２５ｃにより自身のＦｅｍｔｏ１０３が設定対象のＦｅｍｔｏであるか判断する（ステップＳ１７０７）。自身のＦｅｍｔｏ１０３が設定対象である場合には（ステップＳ１７０７：Ｙｅｓ）、設定更新部３２５ｂが設定ファイル処理部３２３に設定指示Ｄ３の設定の書込処理を行わせ（ステップＳ１７０８）、ステップＳ１７０９に移行する。
【００９９】
また、ステップＳ１７０７にて、自身のＦｅｍｔｏ１０３が設定対象でない場合には（ステップＳ１７０７：Ｎｏ）、ステップＳ１７０９に移行する。ステップＳ１７０９では、ＲＲＣ処理部３２５ａは設定指示Ｄ３を読み込んで、端末１０４に設定を送信し（ステップＳ１７０９）、処理を終了する。
【０１００】
図１８は、実施の形態３にかかる監視装置からＧＷを介して各基地局への一括設定指示の処理内容を示すシーケンス図である。監視装置１０１から送信した一括設定指示Ｄ１は、ＧＷ１０２の監視機能部３０３が受信して監視処理を行う（ステップＳ１８０１）。監視機能部３０３は一括設定指示Ｄ１の場合、一括設定指示Ｄ１を一括設定処理部３０４に転送し、一括設定処理部３０４はプロトコル変換処理Ｄ２を行う（ステップＳ１８０２）。
【０１０１】
プロトコル変換後の設定指示Ｄ３は、ＧＷ１０２からＦｅｍｔｏ１０３に送信される。そしてＥＡＩＤ判断部３２５ｃは、設定指示Ｄ３に自身のＦｅｍｔｏ１０３が含まれているか判断する（ステップＳ１８０４）。設定指示Ｄ３に自身のＦｅｍｔｏ１０３が含まれている場合（一致時）には、設定更新部３２５ｂによる設定指示Ｄ３の設定の書込処理を行い（ステップＳ１８０５）、その後、ＲＲＣ処理部３２５ａにより設定指示Ｄ３を読み込み（ステップＳ１８０６）、通信規制を含む設定指示を端末１０４に送信する。設定指示Ｄ３に自身のＦｅｍｔｏ１０３が含まれていなければ（不一致時）には、処理を終了し、通信規制を含む設定指示を端末１０４に送信しない。
【０１０２】
実施の形態３における設定指示応答Ｄ４の処理フローチャート、およびシーケンス図は、実施の形態２（図１４、図１５）と同じであり説明を省略する。
【０１０３】
（実施の形態４）
次に、実施の形態４では、上記（３）ＴＡＩＤ群を用いて一括設定対象のＦｅｍｔｏをＧＷ１０２およびＦｅｍｔｏ１０３が判断する場合の構成例を説明する。図１９は、実施の形態４にかかるＧＷと基地局の構成例を示すブロック図である。この図１９には、ＧＷ１０２から各基地局１０３への一括設定指示Ｄ１にかかる構成について記載してあり、実施の形態１（図３）と同一の構成部には、同一の符号を付してある。
【０１０４】
実施の形態４では、一括設定指示Ｄ１があるエリアのＦｅｍｔｏ群１０３のＴＡＣを一斉に変更する場合を例に説明する。監視装置１０１は、監視ＩＦ１１１を用いて変換前メッセージ９３１に示したＳｅｔｐａｒａｍｅｔｅｒＶａｌｕｅｓで一括設定指示Ｄ１のメッセージをＧＷ１０２に対して送信する。
【０１０５】
ＧＷ１０２は、受信した一括設定指示Ｄ１のメッセージをプロトコル変換部３０４ａで呼制御ＩＦ１１２のメッセージに変換する。プロトコル変換例は、図９（ａ）に示したように、一括設定指示Ｄ１について、変換前メッセージ９３１をプロトコル変換によって変換後メッセージ９３２（設定指示Ｄ３）に変換する。なお、ＴＡＣ情報は端末１０４に伝える必要がないため、Ｆｅｍｔｏ１０３が設定指示Ｄ３として通知される終端の装置となる。
【０１０６】
図２０は、実施の形態４にかかる基地局からＧＷへの設定指示応答の送信にかかる構成を示すブロック図である。図２０において、実施の形態１（図６）と同一の構成部には、同一の符号を付してある。
【０１０７】
Ｆｅｍｔｏ１０３では、ＴＡＣ設定が終了すると、上述したように、設定成功（００１）、あるいは設定失敗（０００）を設定指示応答Ｄ４にメッセージとして組み込み、ＧＷ１０２に対して返答する。プロトコル変換例は、図９（ｂ）に示したように、設定指示応答Ｄ４について、変換前メッセージ９３３をプロトコル変換によって変換後メッセージ９３４に変換する。ＧＷ１０２では、監視装置１０１に設定指示応答Ｄ４のメッセージを送るため、呼制御ＩＦ１１２の返答メッセージを監視ＩＦ１１１のメッセージであるＩｎｆｏｒｍメッセージに変換する。
【０１０８】
以上説明したように、実施の形態２、３ではＡＣＢ情報を用いた一括設定を行う例を説明し、実施の形態４では、ＴＡＣ変更による一括設定を行う例を説明した。これらに限らず、実環境において、所定のメッセージ変換アルゴリズムを用いて同様に一括設定することも可能である。この場合、監視装置１０１とＧＷ１０２にてメッセージの定義・共有を事前にしておく。そして、Ｆｅｍｔｏ１０３は既存の処理を行い、呼制御ＩＦ１１２を介してＦｅｍｔｏ１０３は、設定指示Ｄ３のメッセージ処理を行えばよい。
【０１０９】
通常、図１に記載した通信システムでは、監視装置１０１が１台、ＧＷ１０２が数十台、Ｆｅｍｔｏ１０３が数万台設置されており、上述した各実施の形態１〜４で説明したＦｅｍｔｏ１０３以外の装置（監視装置１０１およびＧＷ１０２）に対する設定変更は、数万台のＦｅｍｔｏ１０３に対する設定変更を行うよりも手間およびコスト面での影響を小さくすることができる。
【０１１０】
（実施の形態５）
実施の形態５では、上述したメッセージのプロトコル変換について具体的に説明する。
【０１１１】
はじめに、一括設定指示Ｄ１として、呼制御ＩＦプロトコルの既存メッセージのＩＥ（Ｉｎｆｏｒｍａｔｉｏｎ  Ｅｌｅｍｅｎｔ）の一部を用いる場合について説明する。ＡＣＢの一括設定指示Ｄ１を例に、メッセージ構成例を説明する。ＡＣＢを用いるためには、監視装置１０１は、例えば、監視ＩＦ１１１としてＴＲ０６９  ＩＦを用いてＧＷ１０２に指示を送る。また、ＧＷ１０２は呼制御ＩＦ１１２としてＳ１  ＩＦを用いる。ＴＲ０６９  ＩＦでは、ＳｅｔＰａｒａｍｅｔｅｒＶａｌｕｅｓ（図３の変換前メッセージ例３３１等を参照）に対象項目とその設定値を格納する。監視装置１０１は、ＡＣＢの規制情報と、対象ＨｅＮＢ情報をＧＷ１０２に渡し、ＧＷ１０２は、ＡＣＢの規制情報と、対象ＨｅＮＢ情報をＳ１メッセージにマッピングする。
【０１１２】
ＡＣＢの設定項目は、例えば、規制される通信の種別、規制が行われる時間、各端末が規制にかかるおおよその割合、規制の例外となる端末、等がある。図２１は、監視ＩＦとしてのＴＲ０６９  ＩＦで用いるＡＣＢの制御情報のパラメータと項目内容の一覧を示す図表である。
【０１１３】
図２２は、ＧＷによるＳ１メッセージへの一括設定要求のマッピング例を示す図表である。監視装置１０１から一括設定指示Ｄ１としてＡＣＢ規制情報を含み受け取ったＧＷ１０２は、図２１に示すＳ１メッセージ（ＷＲＩＴＥ−ＲＥＰＬＡＣＥ  ＷＡＲＮＩＮＧ  ＲＥＱＵＥＳＴ）にメッセージ内容をマッピングする。この場合、例えば、Ｗａｒｎｉｎｇ  Ｍｅｓｓａｇｅ  ＣｏｎｔｅｎｔｓにＡＣＢの設定に必要な各種情報を格納することができる。
【０１１４】
図２３は、基地局からＧＷへのＳ１メッセージを用いた設定要求応答のマッピング例を示す図表である。Ｆｅｍｔｏ１０３は、ＷＲＩＴＥ−ＲＥＰＬＡＣＥ  ＷＡＲＮＩＮＧ  ＲＥＳＰＯＮＳＥのＢｒｏａｄｃａｓｔ  Ｃｏｍｐｌｅｔｅｄ  Ａｒｅａ  ＬｉｓｔにＦｅｍｔｏ１０３自身のＩＤ（ｅＮＢ  ＩＤ）を格納して、ＧＷ１０２にメッセージを送る。
【０１１５】
次に、一括設定指示Ｄ１にＴＡＣを用いる場合について説明する。監視装置１０１は、一括設定指示Ｄ１にＴＡＣを用いる場合、図９の（ａ）に示したように、監視ＩＦ１１１の変換前メッセージ９３１のＳｅｔＰａｒａｍｅｔｅｒＶａｌｕｅｓで一括設定指示Ｄ１のメッセージをＧＷ１０２に送信する。そして、ＧＷ１０２は受信した一括設定指示Ｄ１のメッセージを呼制御ＩＦ１１２の変換後メッセージ９３２（設定指示Ｄ３）に変換し、Ｆｅｍｔｏ１０３に送信する。
【０１１６】
一方、Ｆｅｍｔｏ１０３からの設定指示応答Ｄ４は、図９の（ｂ）に示したように、変換前メッセージ９３３に設定成功／設定失敗のパラメータを追加して、ＧＷ１０２に送信する。
【０１１７】
次に、一括設定指示Ｄ１として、呼制御ＩＦプロトコルの既存メッセージにＩＥを追加して用いる場合について説明する。図２４は、ＧＷによるＳ１メッセージへの一括設定要求のマッピングの他の例を示す図表である。監視装置１０１から一括設定指示Ｄ１としてＡＣＢ規制情報を含み受け取ったＧＷ１０２は、図２２に示すＳ１メッセージ（ＷＲＩＴＥ−ＲＥＰＬＡＣＥ  ＷＡＲＮＩＮＧ  ＲＥＱＵＥＳＴ）にＩＥを追加してマッピングする。例えばＡＣＢ  ＩｎｆｏとしてＡＣＢの規制情報を示す所定の値を格納する。図２４に対応して、基地局１０３からＧＷ１０２へのＳ１メッセージを用いた設定要求応答のマッピング例は図２３と同様である。
【０１１８】
次に、一括設定指示Ｄ１として、呼制御ＩＦプロトコルの新規メッセージを追加して用いる場合について説明する。図２５は、ＧＷによるＳ１メッセージ例を示す図表である。図示のうち、パラメータ２５０１は、既存のメッセージであり、これに新規のメッセージのパラメータ２５０２を追加する。これら新規のメッセージのパラメータ２５０２は、例えば、上述した監視ＩＦ１１１（ＴＲ０６９）で用いた各項目と同じとしてもよい。
【０１１９】
図２６は、基地局からＧＷへのＳ１メッセージを用いた設定要求応答のマッピング例を示す図表である。図示のうち、パラメータ２６０１は、既存のメッセージである。これに新規のメッセージのパラメータ２６０２を追加する。新規のパラメータ２６０２は、例えば、ＡＣＢ  Ｓｅｔであり、上述した設定情報（設定成功／設定失敗）の情報からなる。
【０１２０】
図２７は、既存の方式による複数の基地局に対する設定指示の手順を示すシーケンス図である。図２７を用いて既存技術による基地局に対する設定処理の手順を示し、実施の形態との比較を行う。
【０１２１】
監視装置１０１は、１つ１つのＦｅｍｔｏ１０３に対して順番に監視ＩＦ１１１を介して設定指示Ｄ３０を送信する。この送信の度に、監視装置１０１とＦｅｍｔｏ１０３で監視プロトコルのコネクション接続Ｄ０とコネクション切断Ｄ６が伴うため時間がかかる。また、監視プロトコルでは、同時にセッション接続できる数が限定されているため、例えば１００台毎に分けて設定指示をする必要がある。図２７では、監視装置１０１によるＦｅｍｔｏ＃１００（１０３）への設定指示Ｄ３０の送出後に、最初のＦｅｍｔｏ＃１（１０３）からの設定指示応答Ｄ４０が送出されているが、各Ｆｅｍｔｏ１０３は設定指示Ｄ３０を受けると設定処理が終わった時点で適宜設定指示応答Ｄ４０を送信する。
【０１２２】
図２７と実施の形態１（図２）とを比較した場合、実施の形態では、監視装置１０１は、一括設定指示Ｄ１によりＦｅｍｔｏ１０３との間の監視プロトコルのコネクション接続Ｄ０およびコネクション切断Ｄ６がそれぞれ１回で済むため、既存の方式（図２７）に比して大幅に処理時間を短縮することができる。この際、監視装置１０１がＧＷ１０２に接続する時間も短時間で済み、監視装置１０１の処理負荷を低減できる。すなわち、ＧＷ１０２と基地局１０３間の呼制御ＩＦ１１２は常時接続されており、接続のためのネゴシエーションは不要にでき、複数の基地局１０３の通信設定を一斉に行える。
【０１２３】
また、ＧＷ１０２は基地局（Ｆｅｍｔｏ）１０３との間が呼制御ＩＦ１１２を介して常時接続され、既存のメッセージを用いてＧＷ１０２と複数の基地局１０３はメッセージをやり取りする。これにより、ＧＷ１０２および基地局１０３にも処理負荷をかけずに基地局１０３（および末端の端末１０４）に対する通信設定を一括して行うことができるようになる。この際、ＧＷ１０２の上位のＭＭＥ等のコアノードに対して影響を与えることがなく、監視装置１０１が監視するＧＷ１０２配下の複数の基地局１０３に対してのみ通信設定を行うことができる。
【０１２４】
以上説明した各実施の形態によれば、監視装置から短時間で多数の基地局装置に対して通信規制等のメッセージを含む一括設定指示を送信できるようになる。また、短時間で多数の基地局装置の設定状態を監視装置に返答することができるようになる。そして、多数の基地局装置の監視および設定の処理を監視装置のサーバ等を増設することなく、１台の監視装置で迅速に行えるようになる。これにより、例えば、突発的な災害等の発生により緊急に通信規制が必要な場合でも、複数の基地局の通信規制を一斉に実施できるようになる。
【０１２５】
なお、本実施の形態で説明した一括設定にかかるＧＷ１０２や基地局（Ｆｅｍｔｏ）１０３が有するＣＰＵが実行するプログラムは、予め用意されたプログラムをコンピュータで実行することにより実現することができる。また、このプログラムは、半導体メモリ、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、このプログラムは、インターネット等のネットワークを介して配布してもよい。
【符号の説明】
【０１２６】
１００  通信システム
１０１  監視装置
１０２  ゲートウェイ装置（ＧＷ）
１０３  基地局（Ｆｅｍｔｏ）
１０４  端末（ＵＥ）
１１１  監視ＩＦ
１１２  呼制御ＩＦ
３０１，３１１  ＣＰＵ
３０４ａ  プロトコル変換部
Ｄ０  コネクション接続処理
Ｄ１  一括設定指示
Ｄ２  プロトコル変換処理
Ｄ３  設定指示
Ｄ４  設定指示応答
Ｄ５  一括設定指示返答
Ｄ６  コネクション切断処理
【図１】
2015151208.tif 000003
【図２】
2015151208.tif 000004
【図３】
2015151208.tif 000005
【図４】
2015151208.tif 000006
【図５】
2015151208.tif 000007
【図６】
2015151208.tif 000008
【図７】
2015151208.tif 000009
【図８】
2015151208.tif 000010
【図９】
2015151208.tif 000011
【図１０】
2015151208.tif 000012
【図１１】
2015151208.tif 000013
【図１２】
2015151208.tif 000014
【図１３】
2015151208.tif 000015
【図１４】
2015151208.tif 000016
【図１５】
2015151208.tif 000017
【図１６】
2015151208.tif 000018
【図１７】
2015151208.tif 000019
【図１８】
2015151208.tif 000020
【図１９】
2015151208.tif 000021
【図２０】
2015151208.tif 000022
【図２１】
2015151208.tif 000023
【図２２】
2015151208.tif 000024
【図２３】
2015151208.tif 000025
【図２４】
2015151208.tif 000026
【図２５】
2015151208.tif 000027
【図２６】
2015151208.tif 000028
【図２７】
2015151208.tif 000029
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
監視装置との間の通信を行う第１の機器間インタフェースと、
配下の複数の基地局装置との間の通信を行う第２の機器間インタフェースと、
前記第１の機器間インタフェースを介して前記監視装置から設定情報を受信した場合、前記基地局装置との間の第２の機器間インタフェースに適合した形式に前記設定情報をプロトコル変換した設定情報を生成し、前記生成した設定情報を前記複数の基地局装置に対して前記第２の機器間インタフェースを介して送信する制御部を有することを特徴とするゲートウェイ装置。
【請求項２】
前記第１の機器間インタフェースは、監視インタフェースであり、
前記第２の機器間インタフェースは、呼制御インタフェースであり、
前記監視インタフェースの１度のコネクション接続により、複数の前記基地局装置に対する前記設定情報を受信することを特徴とする請求項１に記載のゲートウェイ装置。
【請求項３】
前記制御部は、複数の前記基地局装置から前記設定情報に基づく設定状態の応答情報を受信した場合、複数の前記基地局装置からの前記応答情報をとりまとめた応答情報を前記監視装置に送信することを特徴とする請求項１に記載のゲートウェイ装置。
【請求項４】
前記制御部は、前記監視装置から受信した情報が前記設定情報であるか否かを判断する判断部を有し、当該判断部は、前記監視装置から受信した情報が前記設定情報の場合に、当該設定情報に対する前記プロトコル変換を行い複数の前記基地局装置に送信することを特徴とする請求項１に記載のゲートウェイ装置。
【請求項５】
前記制御部は、前記監視装置から受信した前記設定情報に含まれる一括設定対象の複数の前記基地局装置のグループを判断するグループ判断部を有し、当該グループ判断部は、該当するグループの複数の前記基地局装置に対して前記設定情報を送信することを特徴とする請求項１に記載のゲートウェイ装置。
【請求項６】
前記制御部は、前記監視装置から受信した前記設定情報に一括設定対象のエリア範囲が含まれる場合、配下の全ての複数の前記基地局装置に対して前記設定情報を送信し、複数の前記基地局装置側で前記エリア範囲に基づく設定の有無を判断させることを特徴とする請求項１に記載のゲートウェイ装置。
【請求項７】
前記制御部は、前記監視装置から受信した前記設定情報にＴＡＣ（Ｔｒａｃｋｉｎｇ  Ａｒｅａ  Ｃｏｄｅ）の情報の変更が含まれる場合、配下の全ての複数の前記基地局装置に対して前記設定情報を送信し、複数の前記基地局装置側で前記ＴＡＣの情報の変更に基づく設定の有無を判断させることを特徴とする請求項１に記載のゲートウェイ装置。
【請求項８】
前記制御部は、前記呼制御インタフェースで用いるメッセージの一部の利用、あるいは新規メッセージの追加により前記設定情報を複数の前記基地局装置に送信することを特徴とする請求項２に記載のゲートウェイ装置。
【請求項９】
前記制御部は、前記監視装置から複数の前記基地局装置が配下の端末装置との通信規制を行う前記設定情報を受信し、当該設定情報の通信規制の項目に対応する前記メッセージを前記基地局装置に送信することを特徴とする請求項８に記載のゲートウェイ装置。
【請求項１０】
監視装置がゲートウェイ装置を介して複数の基地局装置に接続される通信システムにおいて、
前記監視装置は、複数の前記基地局装置に対する設定情報を、前記ゲートウェイ装置との間の通信を行う第１の機器間インタフェースを介して送信し、
前記ゲートウェイ装置は、前記監視装置から設定情報を受信した場合、前記基地局装置との間の第２の機器間インタフェースに適合した形式に前記設定情報をプロトコル変換した設定情報を生成し、前記生成した設定情報を前記複数の基地局装置に対して第２の機器間インタフェースを介して送信する制御部を有し、
複数の前記基地局装置は、前記ゲートウェイ装置から受信した前記設定情報に基づき配下の端末装置との間の通信制御を行うことを特徴とする通信システム。
【請求項１１】
前記ゲートウェイ装置は、複数の前記基地局装置から前記設定情報に基づく設定状態の応答情報を受信した場合、複数の前記基地局装置からの前記応答情報をとりまとめた応答情報を前記監視装置に送信することを特徴とする請求項１０に記載の通信システム。
【手続補正２】
【補正対象書類名】明細書
【補正対象項目名】全文
【補正方法】変更
【補正の内容】
【発明の詳細な説明】
【技術分野】
【０００１】
本発明は、複数の基地局に対する設定を行うゲートウェイ装置および通信システムに関する。
【背景技術】
【０００２】
フェムトセルの小型な基地局は、多数設置されており、これら多数の基地局に対し、移動局との間の通信規制などの設定は設定情報を用いて行われる。この基地局は、監視装置との間の監視Ｉ／Ｆを介して個々に接続制御され、監視装置が個々の基地局に接続後、設定情報を送信することで監視設定を行うことができる。また、複数の基地局は、呼制御Ｉ／Ｆを介して常時ゲートウェイ装置に接続され、呼制御通信を行うようになっている。
【０００３】
従来、移動局とゲートウェイ装置との間でアクセスポイント毎にサービスベアラを設定し、サービスベアラのタイプ別に通信規制する技術がある（例えば、下記特許文献１参照。）。また、ネットワーク（基地局）のオーバーロードを防ぐために、アクセス規制の設定情報としてＡＣＢ情報（ＡＣＢ：Ａｃｃｅｓｓ  Ｃｌａｓｓ  Ｂａｒｒｉｎｇ）を用いて端末の通信規制を行う技術がある（例えば、下記特許文献２参照。）。また、特定サービスのためにＡＣＢ情報を用いて端末にブロードキャストメッセージで通知し、通信規制を行う技術がある（例えば、下記特許文献３参照。）。
【先行技術文献】
【特許文献】
【０００４】
【特許文献１】特開２０１２−１１９８２６号公報
【特許文献２】特表２０１３−５３６６３６号公報
【特許文献３】特表２０１２−５２９８０６号公報
【発明の概要】
【発明が解決しようとする課題】
【０００５】
しかしながら、従来の技術では、監視装置から複数の基地局に対して通信規制の設定情報を一斉に通知することができなかった。例えば、突発的な災害の発生時には、緊急に数万台の基地局に通信規制の情報を通知し、端末と基地局との間の通信規制を行う必要があるが、これが行えなかった。
【０００６】
監視装置が監視Ｉ／Ｆを介して通信規制の設定情報を通知するには、１台の基地局毎に順次接続開始の処理を行った後に設定情報を通知し、通信終了の接続切断の処理を行う必要がある。このため、監視装置は、基地局に一斉に通信規制の情報を通知することができず、基地局が多いほど時間がかかった。また、監視装置は、多数の基地局からの同時の返答（レスポンス）を同時に処理することもできない。なお、監視装置（サーバ）を増設することで処理能力を増やすことはできるが、コストが増加する。また、処理能力の向上によって監視ＩＦを用いた並行処理が可能になるものの、通信開始処理と通信終了処理によって、多数の基地局に対して設定情報を一斉通知することはできない。
【０００７】
一つの側面では、本発明は、複数の基地局の通信設定を一斉に行えることを目的とする。
【課題を解決するための手段】
【０００８】
一つの案では、ゲートウェイ装置は、監視装置との間の通信を行う第１の機器間インタフェースと、配下の複数の基地局装置との間の通信を行う第２の機器間インタフェースと、前記第１の機器間インタフェースを介して前記監視装置から設定情報を受信した場合、前記基地局装置との間の第２の機器間インタフェースに適合した形式に前記設定情報をプロトコル変換した設定情報を生成し、前記生成した設定情報を前記複数の基地局装置に対して前記第２の機器間インタフェースを介して送信する制御部を有することを要件とする。
【発明の効果】
【０００９】
一つの実施形態によれば、複数の基地局の通信設定を一斉に行える。
【図面の簡単な説明】
【００１０】
【図１】図１は、実施の形態１にかかるゲートウェイ装置を含む通信システムの全体構成を示すブロック図である。
【図２】図２は、実施の形態１にかかるゲートウェイ装置を含む通信システムの全体の処理概要を示すシーケンス図である。
【図３】図３は、ＧＷから基地局への設定指示の送信にかかる構成を示すブロック図である。
【図４】図４は、監視装置からＧＷを介して各基地局への一括設定指示にかかる処理内容を示すフローチャートである。
【図５】図５は、一括設定指示にかかる処理内容を示すシーケンス図である。
【図６】図６は、基地局からＧＷへの設定指示応答の送信にかかる構成を示すブロック図である。
【図７】図７は、基地局からＧＷへの設定指示応答にかかる処理内容を示すフローチャートである。
【図８】図８は、設定指示応答にかかる処理内容を示すシーケンス図である。
【図９】図９は、プロトコル変換部が行う他のプロトコル変換例である。
【図１０】図１０は、各Ｆｅｍｔｏグループ種類別の対象Ｆｅｍｔｏ決定部を示す図表である。
【図１１】図１１は、実施の形態２にかかるＧＷと基地局の構成例を示すブロック図である。
【図１２】図１２は、実施の形態２にかかる監視装置からＧＷを介して各基地局への一括設定指示の処理内容を示すフローチャートである。
【図１３】図１３は、実施の形態２にかかる監視装置からＧＷを介して各基地局への一括設定指示の処理内容を示すシーケンス図である。
【図１４】図１４は、実施の形態２にかかる基地局からＧＷへの設定指示応答の処理内容を示すフローチャートである。
【図１５】図１５は、実施の形態２にかかる基地局からＧＷへの設定指示応答の処理内容を示すシーケンス図である。
【図１６】図１６は、実施の形態３にかかるＧＷと基地局の構成例を示すブロック図である。
【図１７】図１７は、実施の形態３にかかる監視装置からＧＷを介して各基地局への一括設定指示の処理内容を示すフローチャートである。
【図１８】図１８は、実施の形態３にかかる監視装置からＧＷを介して各基地局への一括設定指示の処理内容を示すシーケンス図である。
【図１９】図１９は、実施の形態４にかかるＧＷと基地局の構成例を示すブロック図である。
【図２０】図２０は、実施の形態４にかかる基地局からＧＷへの設定指示応答の送信にかかる構成を示すブロック図である。
【図２１】図２１は、監視ＩＦとしてのＴＲ０６９  ＩＦで用いるＡＣＢの制御情報のパラメータと項目内容の一覧を示す図表である。
【図２２】図２２は、ＧＷによるＳ１メッセージへの一括設定要求のマッピング例を示す図表である。
【図２３】図２３は、基地局からＧＷへのＳ１メッセージを用いた設定要求応答のマッピング例を示す図表である。
【図２４】図２４は、ＧＷによるＳ１メッセージへの一括設定要求のマッピングの他の例を示す図表である。
【図２５】図２５は、ＧＷによるＳ１メッセージ例を示す図表である。
【図２６】図２６は、基地局からＧＷへのＳ１メッセージを用いた設定要求応答のマッピング例を示す図表である。
【図２７】図２７は、既存の方式による複数の基地局に対する設定指示の手順を示すシーケンス図である。
【発明を実施するための形態】
【００１１】
（実施の形態１）
（通信システムの全体構成例）
以下に添付図面を参照して、開示技術の好適な実施の形態を詳細に説明する。実施の形態１では、通信システムの全体構成について説明する。
【００１２】
図１は、実施の形態１にかかるゲートウェイ装置を含む通信システムの全体構成を示すブロック図である。通信システム１００は、監視装置１０１と、ゲートウェイ装置（ＧＷ）１０２と、小型な基地局装置（以下、基地局、Ｆｅｍｔｏと呼ぶ）１０３と、各基地局１０３の通信領域Ａ配下に存在する端末（ＵＥ）１０４とを含む。
【００１３】
なお、図１には図示を省略しているが、通信システムの全体構成として、ゲートウェイ装置１０２の上位装置を含み得る。ゲートウェイ装置１０２の上位装置として、ＭＭＥ（Ｍｏｂｉｌｉｔｙ  Ｍａｎａｇｅｍｅｎｔ  Ｅｎｔｉｔｙ）、Ｓ−ＧＷ（Ｓｅｒｖｉｎｇ−ＧａｔｅＷａｙ）などが一例として挙げられる。
【００１４】
監視装置１０１は、第１の機器間インタフェースである監視ＩＦ１１１を用いてＧＷ１０２に対して監視装置１０１が監視する基地局１０３への一括設定指示Ｄ１を送信する。一括設定指示Ｄ１は、例えば、監視装置１０１が監視する基地局１０３の全てに対する通信規制の通知メッセージを含む。
【００１５】
監視装置１０１は、ＧＷ１０２との通信のために、監視ＩＦ１１１を介してＧＷ１０２に対するコネクション接続処理（接続開始および切断）の処理を行う。なお、監視装置１０１が監視する全てのＧＷ１０２のうち一部のＧＷ１０２をグループ指定することができるほか、エリア指定を行って一括設定指示Ｄ１を送信することもできる。
【００１６】
ＧＷ１０２は、監視装置１０１から一括設定指示（設定情報）Ｄ１を受信すると、この一括設定指示Ｄ１に含まれる通知規制のメッセージを呼制御プロトコルに変換する（ＧＷ１０２の処理Ｄ２）。そして、ＧＷ１０２は、変換された呼制御プロトコルにしたがい変換した通信規制のメッセージを含む設定指示（設定情報）Ｄ３を第２の機器間インタフェースである呼制御ＩＦ１１２を介して全ての基地局１０３に設定する。
【００１７】
ＧＷ１０２と各基地局１０３とは、呼制御ＩＦ１１２として例えば、Ｓ１インタフェースを介して常時接続され、Ｓ１メッセージをやり取りする。これにより、監視装置１０１は、一括設定指示Ｄ１を１度送信するだけで、ＧＷ１０２により通信規制の設定指示Ｄ３のメッセージを全ての基地局１０３に設定することができる。
【００１８】
この基地局１０３は、通信規制のメッセージを最終的にＵＥ１０４に通知することで基地局１０３とＵＥ１０４との間の通信規制を行うことができる。
【００１９】
図２は、実施の形態１にかかるゲートウェイ装置を含む通信システムの全体の処理概要を示すシーケンス図である。この図を用いて監視装置１０１〜ＧＷ１０２〜基地局１０３間での情報のやり取りを説明する。
【００２０】
はじめに、監視装置１０１は、ＧＷ１０２に監視ＩＦ１１１を介してコネクション接続処理Ｄ０（接続開始）を行い、監視装置１０１は、一括設定対象の基地局１０３を指定して一括設定指示Ｄ１を送信する。監視装置１０１から一括設定指示Ｄ１を受け取ったＧＷ１０２は、一括設定指示Ｄ１に含まれる一括設定対象のグループの各基地局１０３に対して、呼制御ＩＦ１１２を介してそれぞれ設定指示Ｄ３を送信する。
【００２１】
監視装置１０１は、呼制御ＩＦ１１２を有しておらず、呼制御ＩＦ１１２を有しているＧＷ１０２に一括設定指示Ｄ１を送信する。そして、ＧＷ１０２が一括設定対象の各基地局１０３に対して設定指示Ｄ３を送信する。
【００２２】
ＧＷ１０２から設定指示を受け取った各基地局１０３は、設定指示Ｄ３に基づく設定が終了すると、それぞれ呼制御ＩＦ１１２を介して設定指示Ｄ３に基づく設定状態を示す応答情報として設定指示応答Ｄ４をＧＷ１０２に送信する。この際、基地局１０３は、設定指示Ｄ３を端末１０４に送信し、端末１０４側で設定指示Ｄ３に基づく通信設定を行うか否かを判断してもよい。この場合、基地局１０３は、端末１０４での判断結果（設定の有無、あるいは設定成功／設定失敗）を設定指示応答Ｄ４として用いる。各基地局１０３は、設定指示Ｄ３に基づき設定処理が終了した時点でそれぞれ設定指示応答Ｄ４をＧＷ１０２に送信する。
【００２３】
ＧＷ１０２は、一括設定対象の全基地局１０３から設定指示応答Ｄ４を受け取った時点、あるいは、ＧＷ１０２の一括設定応答待機タイマが満了した時点でこれら設定指示応答Ｄ４をとりまとめて１つの一括設定指示返答Ｄ５を生成する。そして、ＧＷ１０２は、監視ＩＦ１１１を介して監視装置１０１に一括設定指示返答Ｄ５を送信する。この後、監視装置１０１は、ＧＷ１０２との間の監視ＩＦ１１１によるコネクション切断処理Ｄ６（接続切断）を行い、一括設定に関する一連の処理を終了する。
【００２４】
上記処理において、監視装置１０１は、ＧＷ１０２に対し、１度のコネクション処理（接続開始Ｄ０および接続切断Ｄ６）を行うだけで複数の基地局１０３に対する通信規制などの一括設定を行うことができるようになる。
【００２５】
（ＧＷ−基地局間の設定指示の変換例）
図３は、ＧＷから基地局への設定指示の送信にかかる構成を示すブロック図である。はじめに、図３を用いてＧＷ１０２から各基地局１０３への一括設定指示にかかる構成について説明する。以下の説明では、基地局１０３がＦｅｍｔｏである例を用いて説明する。一括設定指示Ｄ１（設定指示Ｄ３）を受信した対象グループのＦｅｍｔｏ１０３は、端末１０４との間の通信規制を行う。
【００２６】
監視装置１０１とＧＷ１０２では、送受信するメッセージ（一括設定指示Ｄ１等）の定義および共有を事前に行っておく。
【００２７】
ＧＷ１０２は、ＣＰＵ３０１、および図示しないメモリ（ＲＯＭ、ＲＡＭ等）を有し、ＲＯＭに格納されたプログラムをＣＰＵ３０１が実行することにより、ＧＷ１０２の動作を制御する。この際、ＲＡＭを処理作業用のデータエリアとして用いる。
【００２８】
ＧＷ１０２は、監視ＩＦ送受信部３０２と、監視機能部３０３と、一括設定処理部３０４と、対ＭＭＥ送受信部３０５と、テレコム処理部３０６と、対Ｆｅｍｔｏ送受信部３０７と、を含む。監視ＩＦ送受信部３０２は、監視ＩＦ１１１を介して監視装置１０１との間の送受信を行うＩＦである。テレコム処理部３０６は、一括設定判断部３０６ａを含む。
【００２９】
監視機能部３０３は、監視ＩＦ送受信部３０２が監視装置１０１から一括設定指示Ｄ１を受信したかを判断する一括設定判断部３０３ａを含む。一括設定判断部３０３ａは、受信したメッセージが既存の監視ＩＦ１１１を用いたメッセージであるか、一括設定用のメッセージ（一括設定指示Ｄ１）であるかを判断する。一括設定判断部３０３ａは、一括設定指示Ｄ１を一括設定処理部３０４に出力する。
【００３０】
一括設定処理部３０４は、監視ＩＦ１１１を介して受信した一括設定指示Ｄ１を呼制御ＩＦ１１２が用いるメッセージに変換するプロトコル変換部３０４ａを含む。プロトコル変換部３０４ａによるプロトコル変換により、各基地局１０３に対する設定指示Ｄ３が生成され、対Ｆｅｍｔｏ送信部３０７に出力される。
【００３１】
プロトコル変換部３０４ａは、一括設定指示Ｄ１を呼制御ＩＦ１１２が用いる汎用の端末１０４とＦｅｍｔｏ１０３間の通信規制情報（ＡＣＢ）や、ＴＡＣ（Ｔｒａｃｋｉｎｇ  Ａｒｅａ  Ｃｏｄｅ）変更のメッセージに変換する。これらの変換例については後述する。
【００３２】
対Ｆｅｍｔｏ送受信部３０７は、プロトコル変換後の設定指示Ｄ３を一括設定するグループの各Ｆｅｍｔｏ１０３に対し、呼制御ＩＦ１１２を介して送信する。
【００３３】
なお、一括設定指示Ｄ１は、ＧＷ１０２に接続されるＭＭＥ等の上位コアノードから受信することもでき、対ＭＭＥ送受信部３０５を介して一括設定指示Ｄ１を受信することもできる。
【００３４】
基地局（Ｆｅｍｔｏ）１０３は、制御部（ＣＰＵ）３１１、メモリ３１２、ＲＦ部３１３と、を含む。ＣＰＵ３１１は、図示しないＲＯＭ、ＲＡＭを有し、ＲＯＭに格納されたプログラムをＣＰＵ３１１が実行することにより、Ｆｅｍｔｏ１０３の動作を制御する。この際、ＲＡＭを処理作業用のデータエリアとして用いる。
【００３５】
ＣＰＵ３１１は、監視ＩＦ送受信部３２１と、監視機能部３２２と、設定ファイル処理部３２３と、対ＧＷ送受信部３２４と、ＲＲＣ機能部３２５と、を含む。監視ＩＦ送受信部３２１と監視機能部３２２は、監視装置１０１から送信される既存の監視処理にかかる処理を行う（この実施の形態における一括設定処理には関与しない）。
【００３６】
対ＧＷ送受信部３２４は、ＧＷ１０２（対Ｆｅｍｔｏ送受信部３０７）から呼制御ＩＦ１１２を介して設定指示Ｄ３を受信し、ＲＲＣ機能部３２５に出力する。
【００３７】
ＲＲＣ（Ｒａｄｉｏ  Ｒｅｓｏｕｒｃｅ  Ｃｏｎｔｒｏｌ）機能部３２５は、ＲＲＣ処理部３２５ａと、設定更新部３２５ｂと、を含む。設定更新部３２５ｂは、ＧＷ１０２から受信した設定指示Ｄ３の設定内容をメモリ３１２の設定ファイル３１２ａに書き込む。ＲＲＣ処理部３２５ａは、設定ファイル３１２ａを読み込んで、端末１０４への送信メッセージを作成し、ＲＦ部３１３のＲＦ処理部３１３ａを介して送信する。
【００３８】
この端末１０４への送信メッセージ（監視装置１０１の一括設定指示Ｄ１に対応）に基づき、端末１０４は、Ｆｅｍｔｏ１０３との間の通信規制を行う。
【００３９】
図３には、プロトコル変換部３０４ａが行うプロトコル変換例を併記してある。変換前メッセージ例３３１は、監視ＩＦ１１１のプロトコルで用いる一括設定指示Ｄ１のメッセージであり、変換後メッセージ例３３２は、呼制御ＩＦ１１２のプロトコルで用いる設定指示Ｄ３のメッセージである。そして、変換前メッセージ例３３１のＳｅｔＰａｒａｍｅｔｅｒＶａｌｕｅｓの内容を変換後メッセージ例３３２のＷａｒｎｉｎｇ  Ｍｅｓｓａｇｅ  Ｃｏｎｔｅｎｔｓに変換する。
【００４０】
そして、この例では、一括設定指示Ｄ１が示す通信規制の３つのパラメータ（一括設定の内容、対象エリア情報、設定パターン）を、変換後メッセージ例３３２のＷａｒｎｉｎｇ  Ｍｅｓｓａｇｅ  Ｃｏｎｔｅｎｔｓに格納している。そして、このパラメータ変換では、変換前メッセージ（一括設定指示Ｄ１）の一括設定の内容を示すＣｏｍｍａｎｄとＡＣＢ情報を００１，００１に変換している。また、設定パターンを示すＰａｔｔｅｒｎ，ｃｕｓｔｏｍ１を００２，０１１に変換している。また、対象エリア情報を示すＨｅＮＢ  Ｇｒｏｕｐ，２６８００を００３，２６８００に変換している。
【００４１】
図４は、監視装置からＧＷを介して各基地局への一括設定指示にかかる処理内容を示すフローチャートである。はじめに、監視装置１０１は、ＧＷ１０２に監視ＩＦ１１１を介して一括設定指示Ｄ１を送信する（ステップＳ４０１）。
【００４２】
ＧＷ１０２は、監視装置１０１から一括設定指示Ｄ１を受信したか判断し（ステップＳ４０２）、一括設定指示Ｄ１を受信すれば（ステップＳ４０２：Ｙｅｓ）、プロトコル変換部３０４ａにて監視ＩＦ１１１のプロトコルの一括設定指示Ｄ１を呼制御ＩＦ１１２のプロトコルに変換する（ステップＳ４０３）。一方、ステップＳ４０２にて一括設定指示Ｄ１以外のメッセージの受信時には（ステップＳ４０２：Ｎｏ）、監視機能部３０３にて既存のメッセージ処理を行い（ステップＳ４０４）、処理を終了する。
【００４３】
ステップＳ４０３の後、ＧＷ１０２は、対Ｆｅｍｔｏ送受信部３０７に設定指示Ｄ３を格納し、Ｆｅｍｔｏ１０３に設定指示Ｄ３のメッセージを送信する（ステップＳ４０５）。
【００４４】
Ｆｅｍｔｏ１０３は、設定指示Ｄ３の受信の有無を判断する（ステップＳ４０６）。例えば、Ｆｅｍｔｏ１０３は、網側の通信インタフェースにおいてＧＷ１０２などの装置からの受信信号を検知したことに応じて、当該受信信号が設定指示Ｄ３であるか否かを判定することにより、設定指示Ｄ３の受信の有無を判断する。
【００４５】
Ｆｅｍｔｏ１０３が設定指示Ｄ３を受信した場合（ステップＳ４０６：Ｙｅｓ）、設定更新部３２５ｂが設定ファイル処理部３２３に設定指示Ｄ３の設定の書込処理を行わせ（ステップＳ４０７）、ステップＳ４０８に移行する。これにより、設定ファイル３１２ａに設定指示Ｄ３が書き込まれる。一方、網側の通信インタフェースにおいてＧＷ１０２などの装置からの受信信号を検知したものの、当該受信信号が設定指示Ｄ３ではなく、例えばＭＭＥからのＳ１メッセージであった場合、設定指示Ｄ３の受信ではないと判断し（ステップＳ４０６：Ｎｏ）、ステップＳ４０８に移行する。
【００４６】
この後ステップＳ４０８では、所定の送信タイミングが到来したことに応じて、ＲＲＣ処理部３２５ａが設定ファイル処理部３２３を介して設定ファイル３１２ａから読み込んだ内容に基づく制御情報を、端末１０４に送信する（ステップＳ４０８）。その結果、設定ファイル３１２ａに設定指示Ｄ３が書き込まれている場合には、設定指示Ｄ３が示す内容、例えば通信規制の設定に基づく制御情報が、端末１０３に送信される（ステップＳ４０８）。
【００４７】
図５は、一括設定指示にかかる処理内容を示すシーケンス図である。監視装置１０１から送信した一括設定指示Ｄ１は、ＧＷ１０２の監視機能部３０３が受信して監視処理を行う（ステップＳ５０１）。監視機能部３０３は一括設定指示Ｄ１の場合、一括設定指示Ｄ１を一括設定処理部３０４に転送し、一括設定処理部３０４はプロトコル変換処理Ｄ２を行う（ステップＳ５０２）。
【００４８】
ＲＲＣ機能部３２５は、設定指示Ｄ３を設定ファイル処理部３２３により設定ファイル３１２ａに書き込ませる（ステップＳ５０４）。そして、ＲＲＣ機能部３２５は、設定ファイル処理部３２３を介して設定ファイル３１２ａを読み込み（ステップＳ５０５）、通信規制を含む設定指示を端末１０４に送信する。
【００４９】
図６は、基地局からＧＷへの設定指示応答の送信にかかる構成を示すブロック図である。次に、図６を用いて基地局１０３からＧＷ１０２への設定指示応答Ｄ４にかかる構成について説明する。設定指示Ｄ３を受信した対象グループのＦｅｍｔｏ１０３は、端末１０４との間の通信規制を行う。
【００５０】
一括設定処理を終えたＦｅｍｔｏ１０３は、ＧＷ１０２に対して設定指示応答Ｄ４を送信する。これは、Ｆｅｍｔｏ１０３が監視装置１０１との間で既存の監視ＩＦ１１１を用いたメッセージ処理との分別をするためである。設定指示応答Ｄ４のメッセージを生成したＦｅｍｔｏ１０３は、対ＧＷ送受信部３２５に設定指示応答Ｄ４のメッセージを格納してＧＷ１０２に送信する。この際、設定指示応答Ｄ４のメッセージ内容として設定成功あるいは設定失敗のパラメータを設定する。
【００５１】
ＧＷ１０２は、対Ｆｅｍｔｏ送受信部３０７がＦｅｍｔｏ１０３から受け取った設定指示応答Ｄ４をテレコム処理部３０６の一括設定判断部３０６ａに出力する。一括設定判断部３０６ａは、設定指示応答Ｄ４を一括設定処理部３０４に出力し、プロトコル変換部３０４ａは監視ＩＦ１１１のプロトコル変換を施す。一括設定判断部３０６ａでは、ＭＭＥに対するＳ１メッセージと、設定指示応答Ｄ４のメッセージとを区別する。プロトコル変換が施された設定指示応答Ｄ４は、監視ＩＦ送受信部３０２に格納され、監視ＩＦ１１１を介して監視装置１０１に送信される。
【００５２】
図６には、プロトコル変換部３０４ａが行うプロトコル変換例を併記してある。変換前メッセージ例６３１は、呼制御ＩＦ１１２のプロトコルで用いるメッセージであり、変換後メッセージ例６３２は、監視ＩＦ１１１のプロトコルで用いるメッセージである。そして、この例では、設定変更したＦｅｍｔｏ１０３は、図３に記載した変換後メッセージ例３３２の各パラメータを保持した状態で変換前メッセージ６３１を生成する。この際、図３の変換後メッセージ例３３２のＷａｒｎｉｎｇ  Ｍｅｓｓａｇｅ  Ｃｏｎｔｅｎｔｓの各パラメータをＥＡ（Ｅｍｅｒｇｅｎｃｙ  Ａｒｅａ）ＩＤに格納する。
【００５３】
図６のように、設定指示応答Ｄ４の変換前メッセージ６３１として、設定成功時には、ＥＡＩＤに新たに００４，００１を格納する（なお、設定失敗時には００４，０００を格納する）。そして、ＧＷ１０２は、変換前メッセージ６３１をプロトコル変換し、設定指示応答Ｄ４の変換後メッセージ６３２を生成する。この際、変換前メッセージ６３１のＥＡＩＤのパラメータを変換後メッセージ６３２のＩｎｆｏｒｍに変換する。
【００５４】
変換後メッセージ６３２には、対象エリア情報が示すＨｅＮＢ  Ｇｒｏｕｐ単位の全Ｆｅｍｔｏ１０３が設定成功したときには、新たにＩｎｆｏｒｍのＳｔａｔｕｓを追加し、００１を格納する。設定失敗時には０００を格納する。この他に、設定成功／失敗したＦｅｍｔｏ１０３の数を格納してもよい。
【００５５】
図７は、基地局からＧＷへの設定指示応答にかかる処理内容を示すフローチャートである。はじめに、Ｆｅｍｔｏ１０３のＲＲＣ機能部３２５は、対ＧＷ送受信部３２４に設定指示応答Ｄ４を格納してＧＷ１０２に設定指示応答Ｄ４を送信する（ステップＳ７０１）。
【００５６】
ＧＷ１０２では、受信したメッセージが以前に送信した設定指示Ｄ３に対する設定指示応答Ｄ４であるか判断する（ステップＳ７０２）。この際、一括設定判断部３０６ａでは、ＭＭＥに送信するＳ１メッセージであるか、監視装置１０１に送信する設定指示応答Ｄ４のメッセージであるかを区別する。設定指示応答Ｄ４の受信の場合には（ステップＳ７０２：Ｙｅｓ）、呼制御ＩＦ１１２のプロトコルの設定指示応答Ｄ４をプロトコル変換部３０４ａにて監視ＩＦ１１１のプロトコルに変換する（ステップＳ７０３）。受信したメッセージが設定指示応答Ｄ４ではない場合には（ステップＳ７０２：Ｎｏ）、テレコム処理部３０６にてメッセージを処理し（ステップＳ７０４）、処理を終了する。
【００５７】
ステップＳ７０３の後、ＧＷ１０２は、監視ＩＦ送受信部３０２に設定指示応答Ｄ４を格納し、監視ＩＦ１１１を介して監視装置１０１に設定指示応答Ｄ４を送信し（ステップＳ７０５）、処理を終了する。
【００５８】
図８は、設定指示応答にかかる処理内容を示すシーケンス図である。端末１０４は、設定指示Ｄ３に対応した通信規制の処理を実行し、設定指示応答Ｄ４をＦｅｍｔｏ１０３に送信する。Ｆｅｍｔｏ１０３は、端末１０４からの設定指示応答Ｄ４をＧＷ１０２に転送する。
【００５９】
そして、ＧＷ１０２のテレコム処理部３０６は、一括設定処理部３０４に設定指示応答Ｄ４を転送する。一括設定処理部３０４は、呼制御ＩＦのプロトコルの設定指示応答Ｄ４を監視ＩＦのプロトコルにプロトコル変換する（ステップＳ８０２）。プロトコル変換後の設定指示応答Ｄ４は、ＧＷ１０２の監視ＩＦ送受信部３０２を介して監視装置１０１に送信される。
【００６０】
図９は、プロトコル変換部が行う他のプロトコル変換例である。図９の（ａ）には、ＧＷ１０２からＦｅｍｔｏ１０３に対して送信する際の一括設定指示Ｄ１の変換メッセージを示している。変換前メッセージ９３１のＳｅｔＰａｒａｍｅｔｅｒＶａｌｕｅｓの内容を変換後メッセージ９３２のＷａｒｎｉｎｇ  Ｍｅｓｓａｇｅ  Ｃｏｎｔｅｎｔｓに変換する。
【００６１】
そして、この例は、あるエリアでのＦｅｍｔｏ群１０３のＴＡＣを一斉に変更する場合を示している。一括設定指示Ｄ１が示す通信規制の３つのパラメータ（一括設定の内容、対象エリア情報、設定パターン）を、変換後メッセージ９３２のＷａｒｎｉｎｇ  Ｍｅｓｓａｇｅ  Ｃｏｎｔｅｎｔｓに格納している。そして、このパラメータ変換では、変換前メッセージ（一括設定指示Ｄ１）の一括設定の内容を示すＣｏｍｍａｎｄとＴＡＣ情報を００１，００４に変換している。また、設定パターンを示すＴＡＣ，２３４５６を００２，２３４５６に変換している。また、対象エリア情報を示すＨｅＮＢ  Ｇｒｏｕｐ，１８４６０を００３，１８４６０に変換している。
【００６２】
このように、ＴＡＣ情報を用いる場合、上述したＡＣＢ情報を用いる場合と異なり、Ｆｅｍｔｏ１０３は、設定指示Ｄ３を自装置（Ｆｅｍｔｏ１０３）内での設定ファイル３１２ａの反映だけとする。この場合、Ｆｅｍｔｏ１０３は、ＲＦ部３１３を機能させず、端末１０４へ送信メッセージは送信しない。
【００６３】
また、図９の（ｂ）には、Ｆｅｍｔｏ１０３からＧＷ１０２に対して送信する際の設定指示応答Ｄ４の変換メッセージを示している。プロトコル変換部３０４ａは、図９の（ａ）に記載した変換後メッセージ例９３２の各パラメータを保持した状態で変換前メッセージ９３３を生成する。この際、図９の（ａ）の変換後メッセージ９３２のＷａｒｎｉｎｇ  Ｍｅｓｓａｇｅ  Ｃｏｎｔｅｎｔｓの各パラメータをＥＡ（Ｅｍｅｒｇｅｎｃｙ  Ａｒｅａ）ＩＤに格納する。
【００６４】
図９の（ｂ）に示すように、設定指示応答Ｄ４の変換前メッセージ９３３として、設定成功時には、ＥＡＩＤに新たに００４，００１を格納する（なお、設定失敗時には００４，０００を格納する）。そして、ＧＷ１０２は、変換前メッセージ９３３をプロトコル変換し、設定指示応答Ｄ４の変換後メッセージ９３４を生成する。この際、変換前メッセージ９３３のＥＡＩＤのパラメータを変換後メッセージ９３４のＩｎｆｏｒｍに変換する。
【００６５】
変換後メッセージ９３４には、対象エリア情報が示すＨｅＮＢ  Ｇｒｏｕｐ単位の全Ｆｅｍｔｏ１０３が設定成功したときには、新たにＩｎｆｏｒｍのＳｔａｔｕｓを追加し、００１を格納する。設定失敗時には０００を格納する。この他に、設定成功／失敗したＦｅｍｔｏ１０３の数を格納してもよい。
【００６６】
以下の各実施の形態では、通信規制の一括設定対象となるＦｅｍｔｏ１０３を通信システムのどの部分で決定するかをそれぞれ説明する。図１０は、各Ｆｅｍｔｏグループ種類別の対象Ｆｅｍｔｏ決定部を示す図表である。
【００６７】
図１０に示すように、（１）各ＧＷ１０２が束ねるＦｅｍｔｏ群１０３は、ＧＷ１０２が対象Ｆｅｍｔｏ１０３を決定する。また、（２）ＥＡＩＤ群で一括設定する場合には、各Ｆｅｍｔｏ１０３自身が決定する。（３）ＴＡ（Ｔｒａｃｋｉｎｇ  Ａｒｅａ）ＩＤ群で一括設定する場合には、ＧＷ１０２およびＦｅｍｔｏ１０３が決定する。
【００６８】
（１）「各ＧＷが束ねるＦｅｍｔｏ群」は、あるＧＷ１０２が管理する複数のＦｅｍｔｏ１０３を指す。（２）「ＥＡＩＤ群」は、オペレータが定義できる緊急エリア範囲である。（３）「ＴＡＩＤ群」は、例えば、ＬＴＥの位置登録エリアであるＴＡＣのリストから得られる範囲である。端末１０４は、位置登録エリアから別の位置登録エリアへ移動すると、改めて位置登録をする必要がある。
【００６９】
（実施の形態２）
実施の形態２では、上記（１）一括設定対象のＦｅｍｔｏをＧＷが判断する場合の構成例を説明する。図１１は、実施の形態２にかかるＧＷと基地局の構成例を示すブロック図である。
【００７０】
図１１において、図３と同一の構成部には同一の符号を付してある。この実施の形態２では、ＧＷ１０２の一括設定処理部３０４は、さらに、Ｆｅｍｔｏグループ判断部３０４ｂと、ステータス登録部３０４ｃを含む。また、ＣＰＵ３０１がアクセス可能なメモリ１１０１には、Ｆｅｍｔｏグループリスト１１０１ａと、ステータス確認リスト１１０１ｂを含む。
【００７１】
はじめに、監視装置１０１からＦｅｍｔｏ１０３への一括設定の際の構成を説明する。監視装置１０１は、監視ＩＦ１１１でＧＷ１０２に対して、Ｆｅｍｔｏグループ情報を含めた一括設定指示Ｄ１のメッセージを送信する。一括設定指示Ｄ１を受信したＧＷ１０２は、プロトコル変換部３０４ａにより、受信したメッセージを呼制御ＩＦ１１２のプロトコルに変換する。
【００７２】
次に、Ｆｅｍｔｏグループ判断部３０４ｂは、ＧＷ１０２のメモリ１１０１上のＦｅｍｔｏグループリスト１１０１ａを参照して、一括設定対象のＦｅｍｔｏグループを判断する。そして、Ｆｅｍｔｏグループ判断部３０４ｂは、一括設定対象のＦｅｍｔｏ１０３が決まると、対Ｆｅｍｔｏ送受信部３０７にプロトコル変換後の設定指示Ｄ３のメッセージを格納して、一括設定対象のＦｅｍｔｏ１０３に設定指示Ｄ３のメッセージを送信する。なお、Ｆｅｍｔｏ１０３内でのメッセージのやり取りは、実施の形態１と同様である。
【００７３】
次に、Ｆｅｍｔｏ１０３から監視装置１０１への設定応答の際の構成について説明する。設定指示Ｄ３に対する設定処理を終えたＦｅｍｔｏ１０３は、設定結果を監視装置１０１に応答する。Ｆｅｍｔｏ１０３は、設定指示応答Ｄ４のメッセージを対ＧＷ送受信部３２４に格納してＧＷ１０２に送信する。
【００７４】
設定指示応答Ｄ４のメッセージを受信したＧＷ１０２は、プロトコル変換部３０４ａが呼制御ＩＦ１１２のプロトコルのメッセージを監視ＩＦ１１１のプロトコルに変換する。次に、ステータス登録部３０４ｃがメモリ１１０１上のステータス確認リスト１１０１ｂにメッセージ内の設定結果を登録する。ＧＷ１０２は、一括設定対象の全Ｆｅｍｔｏ１０３から設定指示応答Ｄ４が返ってくると、監視装置１０１にステータス確認リスト１１０１ｂを送信する。
【００７５】
このほか、ステータス登録部３０４ｃは、設定指示応答Ｄ４として返答があったＦｅｍｔｏ１０３のＩＤに紐づいた成功／失敗の情報を監視装置１０１に送信してもよい。例えば、Ｆｅｍｔｏ１０３毎の設定成功／設定失敗を下記のように一覧化して送信してもよい。
Ｆｅｍｔｏ１：８０ＵＥ成功
Ｆｅｍｔｏ２：２４ＵＥ成功
【００７６】
図１２は、実施の形態２にかかる監視装置からＧＷを介して各基地局への一括設定指示の処理内容を示すフローチャートである。はじめに、監視装置１０１は、ＧＷ１０２に監視ＩＦ１１１を介して一括設定指示Ｄ１を送信する（ステップＳ１２０１）。
【００７７】
ＧＷ１０２は、監視装置１０１から一括設定指示Ｄ１を受信したか判断し（ステップＳ１２０２）、一括設定指示Ｄ１を受信すれば（ステップＳ１２０２：Ｙｅｓ）、プロトコル変換部３０４ａにて監視ＩＦ１１１のプロトコルの一括設定指示Ｄ１を呼制御ＩＦ１１２のプロトコルに変換する（ステップＳ１２０３）。一方、ステップＳ１２０２にて一括設定指示Ｄ１以外のメッセージの受信時には（ステップＳ１２０２：Ｎｏ）、監視機能部３０３にて既存のメッセージ処理を行い（ステップＳ１２０４）、処理を終了する。
【００７８】
ステップＳ１２０３の後、ＧＷ１０２は、一括設定対象のＦｅｍｔｏグループをＦｅｍｔｏグループリスト１１０１ａから選択する（ステップＳ１２０５）。そして、ＧＷ１０２は、対Ｆｅｍｔｏ送受信部３０７に選択したＦｅｍｔｏグループを含む設定指示Ｄ３を格納し、Ｆｅｍｔｏ１０３に設定指示Ｄ３のメッセージを送信する（ステップＳ１２０６）。
【００７９】
この後、Ｆｅｍｔｏ１０３は、ステップＳ１２０７の処理（実施の形態１の図４のステップＳ４０６〜ステップＳ４０８と同様の処理）を行う。すなわち、Ｆｅｍｔｏ１０３は、設定指示Ｄ３の受信を判断し（ステップＳ４０６）、受信すれば（ステップＳ４０６：Ｙｅｓ）、設定更新部３２５ｂが設定ファイル処理部３２３に設定指示Ｄ３の設定の書込処理を行わせ（ステップＳ４０７）、ステップＳ４０８に移行する。これにより、設定ファイル３１２ａに設定指示Ｄ３が書き込まれる。設定指示Ｄ３を受信していなければ（ステップＳ４０６：Ｎｏ）、ステップＳ４０８に移行する。
【００８０】
この後ステップＳ４０８では、ＲＲＣ処理部３２５ａが設定ファイル処理部３２３を介して設定ファイル３１２ａに設定された設定指示Ｄ３を読み込んで、端末１０４に設定指示Ｄ３が示す通信規制の設定を送信する。
【００８１】
図１３は、実施の形態２にかかる監視装置からＧＷを介して各基地局への一括設定指示の処理内容を示すシーケンス図である。監視装置１０１から送信した一括設定指示Ｄ１は、ＧＷ１０２の監視機能部３０３が受信して監視処理を行う（ステップＳ１３０１）。監視機能部３０３は一括設定指示Ｄ１の場合、一括設定指示Ｄ１を一括設定処理部３０４に転送し、一括設定処理部３０４はプロトコル変換処理Ｄ２を行う（ステップＳ１３０２）。
【００８２】
ＧＷ１０２の一括設定処理部３０４は、プロトコル変換後の設定指示Ｄ３について、Ｆｅｍｔｏグループリスト１１０１ａへアクセスして一括設定対象のＦｅｍｔｏグループを判断する（ステップＳ１３０３）。そして、一括設定処理部３０４は、一括設定対象のＦｅｍｔｏグループのＦｅｍｔｏ１０３に対し、設定指示Ｄ３を送信する。
【００８３】
以降、Ｆｅｍｔｏ１０３は、ステップＳ１３０４の処理（実施の形態１の図５のステップＳ５０３〜ステップＳ５０５と同様の処理）を行う。すなわち、ＲＲＣ機能部３２５は、設定指示Ｄ３を設定ファイル処理部３２３により設定ファイル３１２ａに書き込ませる（ステップＳ５０４）。そして、ＲＲＣ機能部３２５は、設定ファイル処理部３２３を介して設定ファイル３１２ａを読み込み（ステップＳ５０５）、通信規制を含む設定指示を端末１０４に送信する。
【００８４】
図１４は、実施の形態２にかかる基地局からＧＷへの設定指示応答の処理内容を示すフローチャートである。はじめに、Ｆｅｍｔｏ１０３のＲＲＣ機能部３２５は、対ＧＷ送受信部３２４に設定指示応答Ｄ４を格納して、ＧＷ１０２に設定指示応答Ｄ４を送信する（ステップＳ１４０１）。
【００８５】
ＧＷ１０２では、受信したメッセージが以前に送信した設定指示Ｄ３に対する設定指示応答Ｄ４であるか判断する（ステップＳ１４０２）。設定指示応答Ｄ４の受信の場合には（ステップＳ１４０２：Ｙｅｓ）、呼制御ＩＦ１１２のプロトコルの設定指示応答Ｄ４をプロトコル変換部３０４ａにて監視ＩＦ１１１のプロトコルに変換する（ステップＳ１４０３）。受信したメッセージが設定指示応答Ｄ４ではない場合（およびＭＭＥ宛のＳ１メッセージの場合を含む）には（ステップＳ１４０２：Ｎｏ）、テレコム処理部３０６にてメッセージを処理し（ステップＳ１４０４）、処理を終了する。
【００８６】
ステップＳ１４０３の後、ＧＷ１０２は、ステータス登録部３０４ｃによりステータス確認リスト１１０１ｂに一括設定結果を格納する（ステップＳ１４０５）。そして、ＧＷ１０２は、監視ＩＦ送受信部３０２に設定指示応答Ｄ４を格納し、監視ＩＦ１１１を介して監視装置１０１に設定指示応答Ｄ４としてステータス確認リストを送信し（ステップＳ１４０６）、処理を終了する。
【００８７】
図１５は、実施の形態２にかかる基地局からＧＷへの設定指示応答の処理内容を示すシーケンス図である。端末１０４は、設定指示Ｄ３に対応した通信規制の処理を実行し、設定指示応答Ｄ４をＦｅｍｔｏ１０３に送信する。Ｆｅｍｔｏ１０３は、端末１０４からの設定指示応答Ｄ４をＧＷ１０２に転送する。
【００８８】
そして、ＧＷ１０２のテレコム処理部３０６は、一括設定処理部３０４に設定指示応答Ｄ４を転送する。一括設定処理部３０４のプロトコル変換部３０４ａは、呼制御ＩＦ１１２のプロトコルの設定指示応答Ｄ４を監視ＩＦのプロトコルにプロトコル変換する（ステップＳ１５０２）。そして、ステータス登録部３０４ｃは、Ｆｅｍｔｏ１０３の一括設定状態をステータス確認リスト１１０１ｂに格納し（テップＳ１５０３）、ステータス確認リスト１１０１ｂは、設定指示応答Ｄ４として、ＧＷ１０２の監視ＩＦ送受信部３０２を介して監視装置１０１に送信される。
【００８９】
（実施の形態３）
実施の形態３では、上記（２）ＥＡＩＤを用いて一括設定対象のＦｅｍｔｏをＦｅｍｔｏ自身が判断する場合の構成例を説明する。図１６は、実施の形態３にかかるＧＷと基地局の構成例を示すブロック図である。
【００９０】
図１６において、図３と同一の構成部には同一の符号を付してある。この実施の形態２では、Ｆｅｍｔｏ１０３のＲＲＣ機能部３２５は、ＥＡＩＤ判断部３２５ｃを含む。
【００９１】
はじめに、監視装置１０１からＦｅｍｔｏ１０３への一括設定の際の構成を説明する。監視装置１０１は、監視ＩＦ１１１でＧＷ１０２に対して、ＥＡＩＤを含めた一括設定指示Ｄ１のメッセージを送信する。一括設定指示Ｄ１を受信したＧＷ１０２は、プロトコル変換部３０４ａにより、受信した一括設定指示Ｄ１を呼制御ＩＦ１１２のプロトコルに変換する。そして、対Ｆｅｍｔｏ送受信部３０７は、プロトコル変換後の設定指示Ｄ３のメッセージを格納して、Ｆｅｍｔｏ１０３に設定指示Ｄ３を送信する。
【００９２】
設定指示Ｄ３のメッセージを受信したＦｅｍｔｏ１０３は、ＲＲＣ処理部３２５ａにより呼制御ＩＦ１１２のプロトコルのメッセージを処理する。次に、ＥＡＩＤ判断部３２５ｃは、設定指示Ｄ３に含まれる一括指定されたＥＡＩＤ情報をもとに、自身のＦｅｍｔｏ１０３が設定指示Ｄ３のメッセージ内のＥＡの範囲内であるかどうかを判断し、ＥＡ範囲であれば設定を実行する。
【００９３】
ＥＡＩＤは、オペレータによって定義されるため、監視装置１０１はＥＡＩＤの情報を事前に共有してＧＷ１０２に対して通知しておく。
【００９４】
図１６には、Ｆｅｍｔｏ１０３が受信した設定指示Ｄ３に含まれるプロトコル変換後のメッセージ例１６０１を併記してある。この設定指示Ｄ３のメッセージには、Ｗａｒｎｉｎｇ  ＡｒｅａＬｉｓｔ（ＥＡ）が１３１０として設定されており、Ｆｅｍｔｏ１０３のＥＡＩＤ判断部３２５ｃは、自らが保持するＥＡＩＤが受信した設定指示Ｄ３に含まれるＷａｒｎｉｎｇ  ＡｒｅａＬｉｓｔ（ＥＡ）が一致した場合、Ｗａｒｎｉｎｇ  Ｍｅｓｓａｇｅ  Ｃｏｎｔｅｎｔｓの設定指示を実施する。なお、設定指示Ｄ３のＥＡＩＤはオペレータによって定義しておく。
【００９５】
図１７は、実施の形態３にかかる監視装置からＧＷを介して各基地局への一括設定指示の処理内容を示すフローチャートである。ステップＳ１７０１〜ステップＳ１７０５の処理は実施の形態１（図４のステップＳ４０１〜ステップＳ４０５）の処理と同じである。はじめに、監視装置１０１は、ＧＷ１０２に監視ＩＦ１１１を介して一括設定指示Ｄ１を送信する（ステップＳ１７０１）。
【００９６】
ＧＷ１０２は、監視装置１０１から一括設定指示Ｄ１を受信したか判断し（ステップＳ１７０２）、一括設定指示Ｄ１を受信すれば（ステップＳ１７０２：Ｙｅｓ）、プロトコル変換部３０４ａにて監視ＩＦ１１１のプロトコルの一括設定指示Ｄ１を呼制御ＩＦ１１２のプロトコルに変換する（ステップＳ１７０３）。一方、ステップＳ１７０２にて一括設定指示Ｄ１以外のメッセージの受信時には（ステップＳ１７０２：Ｎｏ）、監視機能部３０３にて既存のメッセージ処理を行い（ステップＳ１７０４）、処理を終了する。
【００９７】
ステップＳ１７０３の後、ＧＷ１０２は、対Ｆｅｍｔｏ送受信部３０７に設定指示Ｄ３を格納し、Ｆｅｍｔｏ１０３に設定指示Ｄ３のメッセージを送信する（ステップＳ１７０５）。
【００９８】
この後、Ｆｅｍｔｏ１０３は、設定指示Ｄ３の受信を判断し（ステップＳ１７０６）、受信すれば（ステップＳ１７０６：Ｙｅｓ）、ＥＡＩＤ判断部３２５ｃにより自身のＦｅｍｔｏ１０３が設定対象のＦｅｍｔｏであるか判断する（ステップＳ１７０７）。自身のＦｅｍｔｏ１０３が設定対象である場合には（ステップＳ１７０７：Ｙｅｓ）、設定更新部３２５ｂが設定ファイル処理部３２３に設定指示Ｄ３の設定の書込処理を行わせ（ステップＳ１７０８）、ステップＳ１７０９に移行する。
【００９９】
また、ステップＳ１７０７にて、自身のＦｅｍｔｏ１０３が設定対象でない場合には（ステップＳ１７０７：Ｎｏ）、ステップＳ１７０９に移行する。ステップＳ１７０９では、ＲＲＣ処理部３２５ａは設定指示Ｄ３を読み込んで、端末１０４に設定を送信し（ステップＳ１７０９）、処理を終了する。
【０１００】
図１８は、実施の形態３にかかる監視装置からＧＷを介して各基地局への一括設定指示の処理内容を示すシーケンス図である。監視装置１０１から送信した一括設定指示Ｄ１は、ＧＷ１０２の監視機能部３０３が受信して監視処理を行う（ステップＳ１８０１）。監視機能部３０３は一括設定指示Ｄ１の場合、一括設定指示Ｄ１を一括設定処理部３０４に転送し、一括設定処理部３０４はプロトコル変換処理Ｄ２を行う（ステップＳ１８０２）。
【０１０１】
プロトコル変換後の設定指示Ｄ３は、ＧＷ１０２からＦｅｍｔｏ１０３に送信される。そしてＥＡＩＤ判断部３２５ｃは、設定指示Ｄ３に自身のＦｅｍｔｏ１０３が含まれているか判断する（ステップＳ１８０４）。設定指示Ｄ３に自身のＦｅｍｔｏ１０３が含まれている場合（一致時）には、設定更新部３２５ｂによる設定指示Ｄ３の設定の書込処理を行い（ステップＳ１８０５）、その後、ＲＲＣ処理部３２５ａにより設定指示Ｄ３を読み込み（ステップＳ１８０６）、通信規制を含む設定指示を端末１０４に送信する。設定指示Ｄ３に自身のＦｅｍｔｏ１０３が含まれていなければ（不一致時）には、処理を終了し、通信規制を含む設定指示を端末１０４に送信しない。
【０１０２】
実施の形態３における設定指示応答Ｄ４の処理フローチャート、およびシーケンス図は、実施の形態２（図１４、図１５）と同じであり説明を省略する。
【０１０３】
（実施の形態４）
次に、実施の形態４では、上記（３）ＴＡＩＤ群を用いて一括設定対象のＦｅｍｔｏをＧＷ１０２およびＦｅｍｔｏ１０３が判断する場合の構成例を説明する。図１９は、実施の形態４にかかるＧＷと基地局の構成例を示すブロック図である。この図１９には、ＧＷ１０２から各基地局１０３への一括設定指示Ｄ１にかかる構成について記載してあり、実施の形態１（図３）と同一の構成部には、同一の符号を付してある。
【０１０４】
実施の形態４では、一括設定指示Ｄ１があるエリアのＦｅｍｔｏ群１０３のＴＡＣを一斉に変更する場合を例に説明する。監視装置１０１は、監視ＩＦ１１１を用いて変換前メッセージ９３１に示したＳｅｔｐａｒａｍｅｔｅｒＶａｌｕｅｓで一括設定指示Ｄ１のメッセージをＧＷ１０２に対して送信する。
【０１０５】
ＧＷ１０２は、受信した一括設定指示Ｄ１のメッセージをプロトコル変換部３０４ａで呼制御ＩＦ１１２のメッセージに変換する。プロトコル変換例は、図９（ａ）に示したように、一括設定指示Ｄ１について、変換前メッセージ９３１をプロトコル変換によって変換後メッセージ９３２（設定指示Ｄ３）に変換する。なお、ＴＡＣ情報は端末１０４に伝える必要がないため、Ｆｅｍｔｏ１０３が設定指示Ｄ３として通知される終端の装置となる。
【０１０６】
図２０は、実施の形態４にかかる基地局からＧＷへの設定指示応答の送信にかかる構成を示すブロック図である。図２０において、実施の形態１（図６）と同一の構成部には、同一の符号を付してある。
【０１０７】
Ｆｅｍｔｏ１０３では、ＴＡＣ設定が終了すると、上述したように、設定成功（００１）、あるいは設定失敗（０００）を設定指示応答Ｄ４にメッセージとして組み込み、ＧＷ１０２に対して返答する。プロトコル変換例は、図９（ｂ）に示したように、設定指示応答Ｄ４について、変換前メッセージ９３３をプロトコル変換によって変換後メッセージ９３４に変換する。ＧＷ１０２では、監視装置１０１に設定指示応答Ｄ４のメッセージを送るため、呼制御ＩＦ１１２の返答メッセージを監視ＩＦ１１１のメッセージであるＩｎｆｏｒｍメッセージに変換する。
【０１０８】
以上説明したように、実施の形態２、３ではＡＣＢ情報を用いた一括設定を行う例を説明し、実施の形態４では、ＴＡＣ変更による一括設定を行う例を説明した。これらに限らず、実環境において、所定のメッセージ変換アルゴリズムを用いて同様に一括設定することも可能である。この場合、監視装置１０１とＧＷ１０２にてメッセージの定義・共有を事前にしておく。そして、Ｆｅｍｔｏ１０３は既存の処理を行い、呼制御ＩＦ１１２を介してＦｅｍｔｏ１０３は、設定指示Ｄ３のメッセージ処理を行えばよい。
【０１０９】
通常、図１に記載した通信システムでは、監視装置１０１が１台、ＧＷ１０２が数十台、Ｆｅｍｔｏ１０３が数万台設置されており、上述した各実施の形態１〜４で説明したＦｅｍｔｏ１０３以外の装置（監視装置１０１およびＧＷ１０２）に対する設定変更は、数万台のＦｅｍｔｏ１０３に対する設定変更を行うよりも手間およびコスト面での影響を小さくすることができる。
【０１１０】
（実施の形態５）
実施の形態５では、上述したメッセージのプロトコル変換について具体的に説明する。
【０１１１】
はじめに、一括設定指示Ｄ１として、呼制御ＩＦプロトコルの既存メッセージのＩＥ（Ｉｎｆｏｒｍａｔｉｏｎ  Ｅｌｅｍｅｎｔ）の一部を用いる場合について説明する。ＡＣＢの一括設定指示Ｄ１を例に、メッセージ構成例を説明する。ＡＣＢを用いるためには、監視装置１０１は、例えば、監視ＩＦ１１１としてＴＲ０６９  ＩＦを用いてＧＷ１０２に指示を送る。また、ＧＷ１０２は呼制御ＩＦ１１２としてＳ１  ＩＦを用いる。ＴＲ０６９  ＩＦでは、ＳｅｔＰａｒａｍｅｔｅｒＶａｌｕｅｓ（図３の変換前メッセージ例３３１等を参照）に対象項目とその設定値を格納する。監視装置１０１は、ＡＣＢの規制情報と、対象ＨｅＮＢ情報をＧＷ１０２に渡し、ＧＷ１０２は、ＡＣＢの規制情報と、対象ＨｅＮＢ情報をＳ１メッセージにマッピングする。
【０１１２】
ＡＣＢの設定項目は、例えば、規制される通信の種別、規制が行われる時間、各端末が規制にかかるおおよその割合、規制の例外となる端末、等がある。図２１は、監視ＩＦとしてのＴＲ０６９  ＩＦで用いるＡＣＢの制御情報のパラメータと項目内容の一覧を示す図表である。
【０１１３】
図２２は、ＧＷによるＳ１メッセージへの一括設定要求のマッピング例を示す図表である。監視装置１０１から一括設定指示Ｄ１としてＡＣＢ規制情報を含み受け取ったＧＷ１０２は、図２１に示すＳ１メッセージ（ＷＲＩＴＥ−ＲＥＰＬＡＣＥ  ＷＡＲＮＩＮＧ  ＲＥＱＵＥＳＴ）にメッセージ内容をマッピングする。この場合、例えば、Ｗａｒｎｉｎｇ  Ｍｅｓｓａｇｅ  ＣｏｎｔｅｎｔｓにＡＣＢの設定に必要な各種情報を格納することができる。
【０１１４】
図２３は、基地局からＧＷへのＳ１メッセージを用いた設定要求応答のマッピング例を示す図表である。Ｆｅｍｔｏ１０３は、ＷＲＩＴＥ−ＲＥＰＬＡＣＥ  ＷＡＲＮＩＮＧ  ＲＥＳＰＯＮＳＥのＢｒｏａｄｃａｓｔ  Ｃｏｍｐｌｅｔｅｄ  Ａｒｅａ  ＬｉｓｔにＦｅｍｔｏ１０３自身のＩＤ（ｅＮＢ  ＩＤ）を格納して、ＧＷ１０２にメッセージを送る。
【０１１５】
次に、一括設定指示Ｄ１にＴＡＣを用いる場合について説明する。監視装置１０１は、一括設定指示Ｄ１にＴＡＣを用いる場合、図９の（ａ）に示したように、監視ＩＦ１１１の変換前メッセージ９３１のＳｅｔＰａｒａｍｅｔｅｒＶａｌｕｅｓで一括設定指示Ｄ１のメッセージをＧＷ１０２に送信する。そして、ＧＷ１０２は受信した一括設定指示Ｄ１のメッセージを呼制御ＩＦ１１２の変換後メッセージ９３２（設定指示Ｄ３）に変換し、Ｆｅｍｔｏ１０３に送信する。
【０１１６】
一方、Ｆｅｍｔｏ１０３からの設定指示応答Ｄ４は、図９の（ｂ）に示したように、変換前メッセージ９３３に設定成功／設定失敗のパラメータを追加して、ＧＷ１０２に送信する。
【０１１７】
次に、一括設定指示Ｄ１として、呼制御ＩＦプロトコルの既存メッセージにＩＥを追加して用いる場合について説明する。図２４は、ＧＷによるＳ１メッセージへの一括設定要求のマッピングの他の例を示す図表である。監視装置１０１から一括設定指示Ｄ１としてＡＣＢ規制情報を含み受け取ったＧＷ１０２は、図２２に示すＳ１メッセージ（ＷＲＩＴＥ−ＲＥＰＬＡＣＥ  ＷＡＲＮＩＮＧ  ＲＥＱＵＥＳＴ）にＩＥを追加してマッピングする。例えばＡＣＢ  ＩｎｆｏとしてＡＣＢの規制情報を示す所定の値を格納する。図２４に対応して、基地局１０３からＧＷ１０２へのＳ１メッセージを用いた設定要求応答のマッピング例は図２３と同様である。
【０１１８】
次に、一括設定指示Ｄ１として、呼制御ＩＦプロトコルの新規メッセージを追加して用いる場合について説明する。図２５は、ＧＷによるＳ１メッセージ例を示す図表である。図示のうち、パラメータ２５０１は、既存のメッセージであり、これに新規のメッセージのパラメータ２５０２を追加する。これら新規のメッセージのパラメータ２５０２は、例えば、上述した監視ＩＦ１１１（ＴＲ０６９）で用いた各項目と同じとしてもよい。
【０１１９】
図２６は、基地局からＧＷへのＳ１メッセージを用いた設定要求応答のマッピング例を示す図表である。図示のうち、パラメータ２６０１は、既存のメッセージである。これに新規のメッセージのパラメータ２６０２を追加する。新規のパラメータ２６０２は、例えば、ＡＣＢ  Ｓｅｔであり、上述した設定情報（設定成功／設定失敗）の情報からなる。
【０１２０】
図２７は、既存の方式による複数の基地局に対する設定指示の手順を示すシーケンス図である。図２７を用いて既存技術による基地局に対する設定処理の手順を示し、実施の形態との比較を行う。
【０１２１】
監視装置１０１は、１つ１つのＦｅｍｔｏ１０３に対して順番に監視ＩＦ１１１を介して設定指示Ｄ３０を送信する。この送信の度に、監視装置１０１とＦｅｍｔｏ１０３で監視プロトコルのコネクション接続Ｄ０とコネクション切断Ｄ６が伴うため時間がかかる。また、監視プロトコルでは、同時にセッション接続できる数が限定されているため、例えば１００台毎に分けて設定指示をする必要がある。図２７では、監視装置１０１によるＦｅｍｔｏ＃１００（１０３）への設定指示Ｄ３０の送出後に、最初のＦｅｍｔｏ＃１（１０３）からの設定指示応答Ｄ４０が送出されているが、各Ｆｅｍｔｏ１０３は設定指示Ｄ３０を受けると設定処理が終わった時点で適宜設定指示応答Ｄ４０を送信する。
【０１２２】
図２７と実施の形態１（図２）とを比較した場合、実施の形態では、監視装置１０１は、一括設定指示Ｄ１によりＦｅｍｔｏ１０３との間の監視プロトコルのコネクション接続Ｄ０およびコネクション切断Ｄ６がそれぞれ１回で済むため、既存の方式（図２７）に比して大幅に処理時間を短縮することができる。この際、監視装置１０１がＧＷ１０２に接続する時間も短時間で済み、監視装置１０１の処理負荷を低減できる。すなわち、ＧＷ１０２と基地局１０３間の呼制御ＩＦ１１２は常時接続されており、接続のためのネゴシエーションは不要にでき、複数の基地局１０３の通信設定を一斉に行える。
【０１２３】
また、ＧＷ１０２は基地局（Ｆｅｍｔｏ）１０３との間が呼制御ＩＦ１１２を介して常時接続され、既存のメッセージを用いてＧＷ１０２と複数の基地局１０３はメッセージをやり取りする。これにより、ＧＷ１０２および基地局１０３にも処理負荷をかけずに基地局１０３（および末端の端末１０４）に対する通信設定を一括して行うことができるようになる。この際、ＧＷ１０２の上位のＭＭＥ等のコアノードに対して影響を与えることがなく、監視装置１０１が監視するＧＷ１０２配下の複数の基地局１０３に対してのみ通信設定を行うことができる。
【０１２４】
以上説明した各実施の形態によれば、監視装置から短時間で多数の基地局装置に対して通信規制等のメッセージを含む一括設定指示を送信できるようになる。また、短時間で多数の基地局装置の設定状態を監視装置に返答することができるようになる。そして、多数の基地局装置の監視および設定の処理を監視装置のサーバ等を増設することなく、１台の監視装置で迅速に行えるようになる。これにより、例えば、突発的な災害等の発生により緊急に通信規制が必要な場合でも、複数の基地局の通信規制を一斉に実施できるようになる。
【０１２５】
なお、本実施の形態で説明した一括設定にかかるＧＷ１０２や基地局（Ｆｅｍｔｏ）１０３が有するＣＰＵが実行するプログラムは、予め用意されたプログラムをコンピュータで実行することにより実現することができる。また、このプログラムは、半導体メモリ、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、このプログラムは、インターネット等のネットワークを介して配布してもよい。
【０１２６】
上述した実施の形態に関し、さらに以下の付記を開示する。
【０１２７】
（付記１）監視装置との間の通信を行う第１の機器間インタフェースと、
配下の複数の基地局装置との間の通信を行う第２の機器間インタフェースと、
前記第１の機器間インタフェースを介して前記監視装置から設定情報を受信した場合、前記基地局装置との間の第２の機器間インタフェースに適合した形式に前記設定情報をプロトコル変換した設定情報を生成し、前記生成した設定情報を前記複数の基地局装置に対して前記第２の機器間インタフェースを介して送信する制御部を有することを特徴とするゲートウェイ装置。
【０１２８】
（付記２）前記第１の機器間インタフェースは、監視インタフェースであり、
前記第２の機器間インタフェースは、呼制御インタフェースであり、
前記監視インタフェースの１度のコネクション接続により、複数の前記基地局装置に対する前記設定情報を受信することを特徴とする付記１に記載のゲートウェイ装置。
【０１２９】
（付記３）前記制御部は、複数の前記基地局装置から前記設定情報に基づく設定状態の応答情報を受信した場合、複数の前記基地局装置からの前記応答情報をとりまとめた応答情報を前記監視装置に送信することを特徴とする付記１に記載のゲートウェイ装置。
【０１３０】
（付記４）前記制御部は、前記監視装置から受信した情報が前記設定情報であるか否かを判断する判断部を有し、当該判断部は、前記監視装置から受信した情報が前記設定情報の場合に、当該設定情報に対する前記プロトコル変換を行い複数の前記基地局装置に送信することを特徴とする付記１に記載のゲートウェイ装置。
【０１３１】
（付記５）前記制御部は、前記監視装置から受信した前記設定情報に含まれる一括設定対象の複数の前記基地局装置のグループを判断するグループ判断部を有し、当該グループ判断部は、該当するグループの複数の前記基地局装置に対して前記設定情報を送信することを特徴とする付記１に記載のゲートウェイ装置。
【０１３２】
（付記６）前記制御部は、前記監視装置から受信した前記設定情報に一括設定対象のエリア範囲が含まれる場合、配下の全ての複数の前記基地局装置に対して前記設定情報を送信し、複数の前記基地局装置側で前記エリア範囲に基づく設定の有無を判断させることを特徴とする付記１に記載のゲートウェイ装置。
【０１３３】
（付記７）前記制御部は、前記監視装置から受信した前記設定情報にＴＡＣ（Ｔｒａｃｋｉｎｇ  Ａｒｅａ  Ｃｏｄｅ）の情報の変更が含まれる場合、配下の全ての複数の前記基地局装置に対して前記設定情報を送信し、複数の前記基地局装置側で前記ＴＡＣの情報の変更に基づく設定の有無を判断させることを特徴とする付記１に記載のゲートウェイ装置。
【０１３４】
（付記８）前記制御部は、前記呼制御インタフェースで用いるメッセージの一部の利用、あるいは新規メッセージの追加により前記設定情報を複数の前記基地局装置に送信することを特徴とする付記２に記載のゲートウェイ装置。
【０１３５】
（付記９）前記制御部は、前記監視装置から複数の前記基地局装置が配下の端末装置との通信規制を行う前記設定情報を受信し、当該設定情報の通信規制の項目に対応する前記メッセージを前記基地局装置に送信することを特徴とする付記８に記載のゲートウェイ装置。
【０１３６】
（付記１０）前記制御部は、前記メッセージとしてＡＣＢ（Ａｃｃｅｓｓ  Ｃｌａｓｓ  Ｂａｒｒｉｎｇ）の情報を用いることを特徴とする付記８に記載のゲートウェイ装置。
【０１３７】
（付記１１）前記制御部は、前記メッセージとしてＴＡＣ（Ｔｒａｃｋｉｎｇ  Ａｒｅａ  Ｃｏｄｅ）の情報を用いることを特徴とする付記８に記載のゲートウェイ装置。
【０１３８】
（付記１２）監視装置がゲートウェイ装置を介して複数の基地局装置に接続される通信システムにおいて、
前記監視装置は、複数の前記基地局装置に対する設定情報を、前記ゲートウェイ装置との間の通信を行う第１の機器間インタフェースを介して送信し、
前記ゲートウェイ装置は、前記監視装置から設定情報を受信した場合、前記基地局装置との間の第２の機器間インタフェースに適合した形式に前記設定情報をプロトコル変換した設定情報を生成し、前記生成した設定情報を前記複数の基地局装置に対して第２の機器間インタフェースを介して送信する制御部を有し、
複数の前記基地局装置は、前記ゲートウェイ装置から受信した前記設定情報に基づき配下の端末装置との間の通信制御を行うことを特徴とする通信システム。
【０１３９】
（付記１３）前記ゲートウェイ装置は、複数の前記基地局装置から前記設定情報に基づく設定状態の応答情報を受信した場合、複数の前記基地局装置からの前記応答情報をとりまとめた応答情報を前記監視装置に送信することを特徴とする付記１２に記載の通信システム。
【符号の説明】
【０１４０】
１００  通信システム
１０１  監視装置
１０２  ゲートウェイ装置（ＧＷ）
１０３  基地局（Ｆｅｍｔｏ）
１０４  端末（ＵＥ）
１１１  監視ＩＦ
１１２  呼制御ＩＦ
３０１，３１１  ＣＰＵ
３０４ａ  プロトコル変換部
Ｄ０  コネクション接続処理
Ｄ１  一括設定指示
Ｄ２  プロトコル変換処理
Ｄ３  設定指示
Ｄ４  設定指示応答
Ｄ５  一括設定指示返答
Ｄ６  コネクション切断処理
【国際調査報告】
2015151208.tif 000030
2015151208.tif 000031